(57)【要約】【課題】情報記録媒体の記録コンテンツの利用時に、放送局の配信した利用制御情報を継承した利用制御情報に従った処理を行わせることを可能とした構成を実現する。【解決手段】放送局から受信するＣＩ＋（ＣＩ  Ｐｌｕｓ）等の第１規格に従った利用制御情報の設定値をマッピング処理により第１規格と異なる第２規格、例えばＡＡＣＳ規定の利用制御情報に変換して情報記録媒体に記録する。記録コンテンツの再生やコピーを行う装置は、情報記録媒体に記録されたＣＩ＋（ＣＩ  Ｐｌｕｓ）規定の利用制御情報を継承したＡＡＣＳ規定の利用制御情報に従ってコンテンツ利用を行うことになる。【選択図】図３３
2020014118.tif 000002
【特許請求の範囲】
【請求項１】
送信装置の送信するコンテンツとコンテンツ対応の利用制御情報を入力し、情報記録媒体に記録するデータ処理部を有し、
前記データ処理部は、
前記送信装置から受信する第１規格に従った利用制御情報の設定値を、前記第１規格と異なる第２規格の利用制御情報に変換して情報記録媒体に記録する処理を実行する構成であり、
前記第１規格に従った利用制御情報の設定値と、前記第２規格に従った利用制御情報の設定値を対応付けたマッピングデータを利用したマッピング処理により、異なる規格の利用制御情報の設定値を変換する情報処理装置。
【請求項２】
前記第１規格に従った利用制御情報はＣＩ＋（ＣＩ  Ｐｌｕｓ）規定の利用制御情報であり、
前記第２規格に従った利用制御情報はＡＡＣＳ規定の利用制御情報である請求項１に記載の情報処理装置。
【請求項３】
前記第２規格に従った利用制御情報はＡＡＣＳ１、またはＡＡＣＳ２規定の利用制御情報である請求項２に記載の情報処理装置。
【請求項４】
前記利用制御情報はコピー制御情報を含む利用制御情報である請求項１に記載の情報処理装置。
【請求項５】
前記データ処理部は、
前記マッピング処理によって生成した前記第２規格の利用制御情報であるＡＡＣＳ規定の利用制御情報を、ＡＡＣＳ管理データである利用制御情報ファイルに格納して情報記録媒体に記録する請求項１に記載の情報処理装置。
【請求項６】
前記データ処理部は、
前記マッピング処理によって生成した前記第２規格の利用制御情報をＭＰＥＧ−２ＴＳフォーマットにおいて規定されるＰＭＴ（プログラムマップテーブル）に格納して情報記録媒体に記録する請求項１に記載の情報処理装置。
【請求項７】
前記データ処理部は、
前記第２規格の利用制御情報を、前記ＰＭＴ（プログラムマップテーブル）のコピー状態記述子に格納して情報記録媒体に記録する請求項６に記載の情報処理装置。
【請求項８】
前記データ処理部は、
前記第２規格の利用制御情報を、再生制御情報ファイルであるプレイリストファイル、またはクリップ情報ファイルの少なくともいずれかに格納して情報記録媒体に記録する請求項１に記載の情報処理装置。
【請求項９】
前記データ処理部は、
前記送信装置の送信するコンテンツを、ＢＤＡＶフォーマット、またはＳＰＡＶフォーマットに従って情報記録媒体に記録する請求項１に記載の情報処理装置。
【請求項１０】
前記データ処理部は、
前記第１規格の利用制御情報に含まれる特殊再生を許容するか否かを示すトリックモード制御情報を情報記録媒体記録コンテンツ対応の制御情報として、情報記録媒体に記録する請求項１に記載の情報処理装置。
【請求項１１】
前記データ処理部は、
前記トリックモード制御情報を、再生制御情報ファイルであるプレイリストファイル、またはクリップ情報ファイルの少なくともいずれかに格納して情報記録媒体に記録する請求項１０に記載の情報処理装置。
【請求項１２】
情報記録媒体に記録された放送コンテンツの再生処理またはコピー処理を実行するデータ処理部を有し、
前記データ処理部は、
前記情報記録媒体の記録データに含まれる利用制御情報を取得して、該利用制御情報に記録された許容範囲内のコンテンツ再生またはコピー処理を実行する構成であり、
前記利用制御情報は、
前記放送コンテンツに併せて放送局から配信された第１規格に従った利用制御情報を、前記第１規格と異なる第２規格の利用制御情報に変換した情報であり、
前記データ処理部は、
放送局から配信された前記第１規格に従った利用制御情報を継承した前記第２規格の利用制御情報に従って、コンテンツ再生またはコピー処理を実行する情報処理装置。
【請求項１３】
前記第１規格に従った利用制御情報はＣＩ＋（ＣＩ  Ｐｌｕｓ）の利用制御情報であり、
前記第２規格に従った利用制御情報はＡＡＣＳ１、またはＡＡＣＳ２の利用制御情報である請求項１２に記載の情報処理装置。
【請求項１４】
放送コンテンツと、
前記放送コンテンツ対応の利用制御情報を記録データとして格納し、
前記利用制御情報は、
前記放送コンテンツに併せて放送局から配信された第１規格に従った利用制御情報を、前記第１規格と異なる第２規格の利用制御情報に変換した情報であり、
前記情報記録媒体の記録コンテンツの再生を実行する再生装置に、
前記第２規格の利用制御情報に従ったコンテンツ利用制御を実行させることで、放送局から配信された前記第１規格に従った利用制御情報を継承したコンテンツ利用制御を実行させることを可能とした情報記録媒体。
【請求項１５】
前記第１規格に従った利用制御情報はＣＩ＋（ＣＩ  Ｐｌｕｓ）の利用制御情報であり、
前記第２規格に従った利用制御情報はＡＡＣＳ１、またはＡＡＣＳ２の利用制御情報である請求項１４に記載の情報記録媒体。
【請求項１６】
情報処理装置において実行する情報処理方法であり、
前記情報処理装置は、
送信装置の送信するコンテンツとコンテンツ対応の利用制御情報を入力し、情報記録媒体に記録するデータ処理部を有し、
前記データ処理部が、
前記送信装置から受信する第１規格に従った利用制御情報の設定値を、前記第１規格と異なる第２規格の利用制御情報に変換して情報記録媒体に記録する処理を実行し、
前記第１規格に従った利用制御情報の設定値と、前記第２規格に従った利用制御情報の設定値を対応付けたマッピングデータを利用したマッピング処理により、異なる規格の利用制御情報の設定値を変換する情報処理方法。
【請求項１７】
情報処理装置において情報処理を実行させるプログラムであり、
前記情報処理装置は、
送信装置の送信するコンテンツとコンテンツ対応の利用制御情報を入力し、情報記録媒体に記録するデータ処理部を有し、
前記プログラムは、前記データ処理部に、
前記送信装置から受信する第１規格に従った利用制御情報の設定値を、前記第１規格と異なる第２規格の利用制御情報に変換して情報記録媒体に記録する処理と、
前記第１規格に従った利用制御情報の設定値と、前記第２規格に従った利用制御情報の設定値を対応付けたマッピングデータを利用したマッピング処理により、異なる規格の利用制御情報の設定値を変換する処理を実行させるプログラム。
【発明の詳細な説明】
【技術分野】
【０００１】
本開示は、情報処理装置、情報記録媒体、および情報処理方法、並びにプログラムに関する。さらに詳細には、今後、放送局から配信予定の４Ｋ画像等の高画質画像データを受信し、受信データをディスク等の情報記録媒体に記録してディスク記録コンテンツを利用する際、ディスク記録コンテンツについてもコピー元である放送データのコピー制御情報等の利用制御情報を継承した制御を可能とする情報処理装置、情報記録媒体、および情報処理方法、並びにプログラムに関する。
【背景技術】
【０００２】
現在、４Ｋ画像や８Ｋ画像等の高画質画像、すなわちＵＨＤ（Ｕｌｔｒａ  Ｈｉｇｈ  Ｄｅｆｉｎｉｔｉｏｎ）データの放送に向けた準備が世界各国で行われている。
例えば、日本では、４Ｋ，８Ｋ画像の放送フォーマットとしてＭＭＴ（ＭＰＥＧ  Ｍｅｄｉａ  Ｔｒａｎｓｐｏｒｔ）フォーマットを利用したデータ配信方式についての検討が進められている。また、ヨーロッパの多くの国では、４Ｋ，８Ｋ画像の放送フォーマットとして従来のＭＰＥＧ−２ＴＳフォーマットを利用したデータ配信方式についての検討が進められている。
【０００３】
このように世界各国において、４Ｋ画像や８Ｋ画像等の高画質画像放送の準備が進みつつある。一方、放送コンテンツの多くは、著作権により保護されたコンテンツであり、番組等のコンテンツ単位で様々なコピー制御や利用制御情報が設定されている。
例えば、コピー許容コンテンツ、コピー禁止コンテンツ、コピーの許容回数や個数を設定したコンテンツ等、コンテンツ（番組）単位で様々なコピー制御情報が設定されている。
放送コンテンツに関するこれらの制御情報は、番組コンテンツに併せて放送波を介してユーザ側の受信装置に送信される。
【０００４】
受信装置においては、受信したコピー制御情報に従ってコピー処理が制御されることになる。しかし、受信装置が受信した放送コンテンツをハードディスクやＢＤ（Ｂｌｕ−ｒａｙ（登録商標）  Ｄｉｓｃ）等の情報記録媒体に記録した場合、そのメディア記録データのコピー制御や利用制御を、放送局の送信した利用制御情報に従って実行させるための規定がない。なお、ＢＤを利用したデータ記録再生処理構成については、例えば特許文献１（特開２０１１−０２３０７１号公報）等に記載がある。
【０００５】
このように、現状は、放送コンテンツをメディアに記録した場合のメディア記録コンテンツに対するコピー制御や利用制御について明確な規定が存在しない。そのため、コンテンツ配信側である放送局は、基本的に放送コンテンツのメディア記録を許容しないという方針を示している。しかし、これでは、コンテンツの利用態様が限定されてしまうという問題が発生する。
【先行技術文献】
【特許文献】
【０００６】
【特許文献１】特開２０１１−０２３０７１号公報
【発明の概要】
【発明が解決しようとする課題】
【０００７】
本開示は、例えば、上記の問題点に鑑みてなされたものであり、放送局等が配信する４Ｋ画像等の放送コンテンツをハードディスクやＢＤ（Ｂｌｕ−ｒａｙ（登録商標）  Ｄｉｓｃ）等の情報記録媒体に記録して利用する場合、元の放送コンテンツに設定されていたコピー制御情報等の利用制御情報に従った制御を可能とする情報処理装置、情報記録媒体、および情報処理方法、並びにプログラムを提供することを目的とする。
【課題を解決するための手段】
【０００８】
本開示の第１の側面は、
送信装置の送信するコンテンツとコンテンツ対応の利用制御情報を入力し、情報記録媒体に記録するデータ処理部を有し、
前記データ処理部は、
前記送信装置から受信する第１規格に従った利用制御情報の設定値を、前記第１規格と異なる第２規格の利用制御情報に変換して情報記録媒体に記録する処理を実行する構成であり、
前記第１規格に従った利用制御情報の設定値と、前記第２規格に従った利用制御情報の設定値を対応付けたマッピングデータを利用したマッピング処理により、異なる規格の利用制御情報の設定値を変換する情報処理装置にある。
【０００９】
さらに、本開示の第２の側面は、
情報記録媒体に記録された放送コンテンツの再生処理またはコピー処理を実行するデータ処理部を有し、
前記データ処理部は、
前記情報記録媒体の記録データに含まれる利用制御情報を取得して、該利用制御情報に記録された許容範囲内のコンテンツ再生またはコピー処理を実行する構成であり、
前記利用制御情報は、
前記放送コンテンツに併せて放送局から配信された第１規格に従った利用制御情報を、前記第１規格と異なる第２規格の利用制御情報に変換した情報であり、
前記データ処理部は、
放送局から配信された前記第１規格に従った利用制御情報を継承した前記第２規格の利用制御情報に従って、コンテンツ再生またはコピー処理を実行する情報処理装置にある。
【００１０】
さらに、本開示の第３の側面は、
放送コンテンツと、
前記放送コンテンツ対応の利用制御情報を記録データとして格納し、
前記利用制御情報は、
前記放送コンテンツに併せて放送局から配信された第１規格に従った利用制御情報を、前記第１規格と異なる第２規格の利用制御情報に変換した情報であり、
前記情報記録媒体の記録コンテンツの再生を実行する再生装置に、
前記第２規格の利用制御情報に従ったコンテンツ利用制御を実行させることで、放送局から配信された前記第１規格に従った利用制御情報を継承したコンテンツ利用制御を実行させることを可能とした情報記録媒体にある。
【００１１】
さらに、本開示の第４の側面は、
情報処理装置において実行する情報処理方法であり、
前記情報処理装置は、
送信装置の送信するコンテンツとコンテンツ対応の利用制御情報を入力し、情報記録媒体に記録するデータ処理部を有し、
前記データ処理部が、
前記送信装置から受信する第１規格に従った利用制御情報の設定値を、前記第１規格と異なる第２規格の利用制御情報に変換して情報記録媒体に記録する処理を実行し、
前記第１規格に従った利用制御情報の設定値と、前記第２規格に従った利用制御情報の設定値を対応付けたマッピングデータを利用したマッピング処理により、異なる規格の利用制御情報の設定値を変換する情報処理方法にある。
【００１２】
さらに、本開示の第５の側面は、
情報処理装置において情報処理を実行させるプログラムであり、
前記情報処理装置は、
送信装置の送信するコンテンツとコンテンツ対応の利用制御情報を入力し、情報記録媒体に記録するデータ処理部を有し、
前記プログラムは、前記データ処理部に、
前記送信装置から受信する第１規格に従った利用制御情報の設定値を、前記第１規格と異なる第２規格の利用制御情報に変換して情報記録媒体に記録する処理と、
前記第１規格に従った利用制御情報の設定値と、前記第２規格に従った利用制御情報の設定値を対応付けたマッピングデータを利用したマッピング処理により、異なる規格の利用制御情報の設定値を変換する処理を実行させるプログラムにある。
【００１３】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。
【００１４】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００１５】
本開示の一実施例の構成によれば、情報記録媒体の記録コンテンツの利用時に、放送局の配信した利用制御情報を継承した利用制御情報に従った処理を行わせることを可能とした構成が実現される。
具体的には、例えば、放送局から受信するＣＩ＋（ＣＩ  Ｐｌｕｓ）等の第１規格に従った利用制御情報の設定値をマッピング処理により第１規格と異なる第２規格、例えばＡＡＣＳ規定の利用制御情報に変換して情報記録媒体に記録する。記録コンテンツの再生やコピーを行う装置は、情報記録媒体に記録されたＣＩ＋（ＣＩ  Ｐｌｕｓ）規定の利用制御情報を継承したＡＡＣＳ規定の利用制御情報に従ってコンテンツ利用を行うことになる。
本構成により、情報記録媒体の記録コンテンツの利用時に、放送局の配信した利用制御情報を継承した利用制御情報に従った処理を行わせることを可能とした構成が実現される。
なお、本明細書に記載された効果はあくまで例示であって限定されるものではなく、また付加的な効果があってもよい。
【図面の簡単な説明】
【００１６】
【図１】本開示の処理を実行する情報処理装置の利用構成例について説明する図である。
【図２】情報処理装置によるデータのコピー処理例について説明する図である。
【図３】放送局等の送信装置から情報処理装置（受信装置）に対する送信データについて説明する図である。
【図４】ＭＰＥＧ−２ＴＳフォーマットについて説明する図である。
【図５】放送局等の送信装置から情報処理装置（受信装置）に送信される利用制御情報の一例であるＣＩ＋（ＣＩ  Ｐｌｕｓ）規定のデータについて説明する図である。
【図６】放送局等の送信装置から情報処理装置（受信装置）に送信される利用制御情報の一例であるＣＩ＋（ＣＩ  Ｐｌｕｓ）規定のデータについて説明する図である。
【図７】送信装置から利用制御情報を送信する場合の送信方式の一例について説明する図である。
【図８】送信装置から利用制御情報を送信する場合に利用可能なＰＭＴの記録データの一例について説明する図である。
【図９】送信装置から利用制御情報を送信する場合の送信方式の一例について説明する図である。
【図１０】送信装置から利用制御情報を送信する場合に利用可能なＴＳペイロードデータの一例について説明する図である。
【図１１】ＢＤＡＶフォーマットについて説明する図である。
【図１２】ＢＤＡＶフォーマットに従ったデータ再生処理例について説明する図である。
【図１３】ＳＰＡＶフォーマットについて説明する図である。
【図１４】ＡＡＣＳ２規定の利用制御情報について説明する図である。
【図１５】ＡＡＣＳ１規定の利用制御情報について説明する図である。
【図１６】ＡＡＣＳ管理データを含むＢＤＡＶフォーマットについて説明する図である。
【図１７】放送局等の送信装置から情報処理装置（受信装置）に送信されるデータと、情報処理装置が情報記録媒体に記録するデータについて説明する図である。
【図１８】トリックモード制御情報について説明する図である。
【図１９】情報処理装置が情報記録媒体に記録するＡＡＣＳ２規定の利用制御情報の例について説明する図である。
【図２０】情報処理装置が情報記録媒体に記録するＡＡＣＳ１規定の利用制御情報の例について説明する図である。
【図２１】放送局が配信するＣＩ＋（ＣＩ  Ｐｌｕｓ）規定の利用制御情報からＡＡＣＳ２規定の利用制御情報へのマッピングデータについて説明する図である。
【図２２】放送局が配信するＣＩ＋（ＣＩ  Ｐｌｕｓ）規定の利用制御情報からＡＡＣＳ１規定の利用制御情報へのマッピングデータについて説明する図である。
【図２３】放送局が配信するＣＩ＋（ＣＩ  Ｐｌｕｓ）規定の利用制御情報からＡＡＣＳ１規定の利用制御情報へのマッピングデータについて説明する図である。
【図２４】ＡＡＣＳ規定の利用制御情報の記録先であるＰＭＴ（プログラムマップテーブル）について説明する図である。
【図２５】ＡＡＣＳ規定の利用制御情報の記録先であるＰＭＴ（プログラムマップテーブル）の記録データの例について説明する図である。
【図２６】ＡＡＣＳ規定の利用制御情報の記録先であるＰＭＴ（プログラムマップテーブル）の記録データの例について説明する図である。
【図２７】ＡＡＣＳ規定の利用制御情報の記録先であるＰＭＴ（プログラムマップテーブル）の記録データの例について説明する図である。
【図２８】プレイリストファイルとクリップ情報ファイルに対する利用制御情報の記録処理例について説明する図である。
【図２９】プレイリストファイルに対する利用制御情報の記録処理例について説明する図である。
【図３０】プレイリストファイルに対する利用制御情報の記録処理例について説明する図である。
【図３１】クリップ情報ファイルに対する利用制御情報の記録処理例について説明する図である。
【図３２】クリップ情報ファイルに対する利用制御情報の記録処理例について説明する図である。
【図３３】情報記録媒体（メディア）に対するデータ記録処理を実行する情報処理装置の構成例についてを説明する図である。
【図３４】情報記録媒体（メディア）に対するデータ記録処理を実行する情報処理装置の構成例についてを説明する図である。
【図３５】情報記録媒体（メディア）に対するデータ記録処理の処理シーケンスを説明するフローチャートを示す図である。
【図３６】情報記録媒体（メディア）に対するデータ記録処理の処理シーケンスを説明するフローチャートを示す図である。
【図３７】情報記録媒体（メディア）の記録データの再生やコピー処理を実行する情報処理装置の構成例についてを説明する図である。
【図３８】情報記録媒体（メディア）の記録データの再生やコピー処理を実行する情報処理装置の実行する処理のシーケンスを説明するフローチャートを示す図である。
【図３９】情報記録媒体（メディア）間のデータコピー処理の処理シーケンスを説明するフローチャートを示す図である。
【図４０】本開示の処理に適用される報処理装置のハードウェア構成例について説明する図である。
【発明を実施するための形態】
【００１７】
以下、図面を参照しながら本開示の情報処理装置、情報記録媒体、および情報処理方法、並びにプログラムの詳細について説明する。なお、説明は以下の項目に従って行なう。
１．通信システムの構成例とコピー処理例について
２．放送局からの放送コンテンツとコピー制御情報の配信例について
３．放送局からの受信データを情報記録媒体（メディア）に記録する場合のフォーマットについて
４．情報記録媒体（メディア）に記録されたデータの利用制御処理について
５．放送局の配信コンテンツを情報記録媒体に記録する際のコピー制御情報を含む利用制御情報の変換と記録処理について
６．埋め込み型コピー制御情報の記録構成例について
７．再生制御情報ファイルにトリックモード制御情報を記録する構成例について
８．情報記録媒体に対するデータ記録処理を実行する情報処理装置の構成と処理について
９．情報記録媒体に記録されたデータの再生やコピー処理を実行する情報処理装置の構成と処理について
１０．情報処理装置の構成例について
１１．本開示の構成のまとめ
【００１８】
［１．通信システムの構成例とコピー処理例について］
まず、図１以下を参照して本開示の処理を実行する情報処理装置の一つの利用構成例である通信システムの構成例と、コンテンツのコピー処理例について説明する。
図１に示す情報処理装置３０は、ＢＤ（Ｂｌｕ−ｒａｙ（登録商標）  Ｄｉｓｃ）や、フラッシュメモリ、ハードディスク（ＨＤＤ）などのメディアを装着し、これらの装着メディアに対するデータ記録処理や、装着メディアからのデータ再生処理、さらに、他メディアに対するデータコピー処理等を実行する。
【００１９】
情報処理装置３０がメディアに記録するデータは、例えば放送局（放送サーバ）２１や、データ配信サーバ２２等の送信装置２０の提供する送信コンテンツである。具体的には、テレビ局の提供する放送番組等である。
これらの送信コンテンツは、放送波、あるいはインターネット等のネットワークを介して送信装置２０から情報処理装置３０に送信される。
【００２０】
情報処理装置３０は、例えば記録再生装置３１、テレビ３２、ＰＣ３３、携帯端末３４等である、これらの情報処理装置は、例えば、ＢＤ（Ｂｌｕ−ｒａｙ（登録商標）  Ｄｉｓｃ）４１、ＨＤＤ（ハードディスク）４２、フラッシュメモリ４３等の様々なメディアを装着し、これらのメディアに対するデータ記録処理や、メディアからのデータ再生処理、さらに、メディア間のデータコピー処理等を実行する。
【００２１】
送信装置２０から情報処理装置３０に対するデータ送信は、例えばＭＰＥＧ−２ＴＳフォーマットに従って実行される。
ＭＰＥＧ−２ＴＳフォーマットは、画像（Ｖｉｄｅｏ）、音声（Ａｕｄｉｏ）、字幕（Ｓｕｂｔｉｔｌｅ）等、コンテンツ構成データである符号化データを放送波やネットワークを介して伝送する際のデータ転送方式（トランンスポートフォーマット）を規定したものである。
【００２２】
前述したように、日本では、４Ｋ，８Ｋ画像の放送フォーマットとしてＭＭＴ（ＭＰＥＧ  Ｍｅｄｉａ  Ｔｒａｎｓｐｏｒｔ）フォーマットを利用したデータ配信方式についての検討が進められているが、ヨーロッパの多くの国では、４Ｋ，８Ｋ画像の放送フォーマットとして従来のＭＰＥＧ−２ＴＳフォーマットを利用したデータ配信方式の検討が進められている。
【００２３】
送信装置２０は、コンテンツデータを符号化し、符号化データおよび符号化データのメタデータを含むデータファイルを生成し、生成した符号化データを各フォーマットにおいて規定されるパケットに格納して放送波、またはネットワークを介して送信する。
【００２４】
送信装置２０が情報処理装置３０に提供するデータは、画像、音声、字幕等の再生対象データの他、番組ガイド等の案内情報や通知情報、制御メッセージ等の様々な管理情報によって構成される制御情報によって構成される。
【００２５】
図１に示す情報処理装置３０、例えば記録再生装置３１、テレビ３２、ＰＣ３３、携帯端末３４等は、例えば、ＢＤ（Ｂｌｕ−ｒａｙ（登録商標）  Ｄｉｓｃ）４１、ＨＤＤ（ハードディスク）４２、フラッシュメモリ４３等の様々なメディアを装着し、これらのメディアに対するデータ記録処理や、メディアからのデータ再生処理、さらに、メディア間のデータコピー処理等を実行する。
【００２６】
図２を参照して、ＢＤ等の記録メディアに放送局２１等からの配信データを記録し、その記録データを他メディアにコピーする処理の具体例について説明する。
図２には、以下の２つの処理を示している。
（Ａ）放送受信データのコピー記録
（Ｂ）第２世代コピー
【００２７】
（Ａ）放送受信データのコピー記録は、放送局等の送信装置から受信するデータを記録再生装置６１に入力して、メディアＡ６２に放送コンテンツのコピーデータを記録する処理である。
メディアＡ６２は、例えばＢＤやハードディスク、フラッシュメモリ等の記録メディアである。
【００２８】
記録再生装置６１は、メディアＡ６２の記録データを他のメディアにコピーすることができる。
このコピー処理によって、図２（Ｂ）に示すように、第２世代コピーデータを記録したメディアであるメディアＢ１，６３、メディアＢ２，６４等を生成することができる。
【００２９】
さらに、記録再生装置６１、あるいはその他の記録再生装置は、メディアＢ１，６３、メディアＢ２，６４等に記録された第２世代コピーデータを、さらに他のメディアにコピーすることができる。
【００３０】
しかし、前述したように、放送コンテンツの多くは著作権により保護されたコンテンツであり、番組等のコンテンツ単位で様々なコピー制御情報が設定されている。
例えば、コピー許容コンテンツ、コピー禁止コンテンツ、コピーの許容回数や個数を設定したコンテンツ等、コンテンツ（番組）単位で様々なコピー制御情報が設定されている。
放送コンテンツに関するこれらのコピー制御情報は、番組コンテンツとともに放送波を介して送信され、ユーザ側の受信装置、すなわち、図２に示す設定では記録再生装置６１に提供される。
【００３１】
図２に示す記録再生装置６１は、放送局から放送コンテンツに併せて受信したコピー制御情報に従ったコピー処理を行う。しかし、現状では、放送局から受信したコピー制御情報の制御対象となるのは、記録再生装置６１が放送局から受信したコンテンツに対するコピー処理のみである。すなわち、例えば、図２（Ａ）に示すメディアＡ，６２に対する放送コンテンツのコピー記録について制御するのみである。
【００３２】
現時点では、多くの４Ｋ放送コンテンツは、メディアＡ，６２に記録されたコンテンツを他のメディア、例えば図２に示すメディアＢ１，Ｂ２にコピーすることは許容されない。これは、メディアＡ，６２に記録されたコンテンツを他のメディアにコピーする際に、放送局が配信した４Ｋコンテンツのコピー制御情報を適用させるための規定がないことが主な要因である。
【００３３】
本開示は、例えば、上記の問題点に鑑みてなされたものであり、放送局等が配信する４Ｋ画像等の放送コンテンツをハードディスクやＢＤ（Ｂｌｕ−ｒａｙ（登録商標）  Ｄｉｓｃ）等の情報記録媒体に記録して利用する場合、元の放送コンテンツに設定されていたコピー制御情報を継承したコピー制御を行うことを可能とするものである。
【００３４】
［２．放送局からの放送コンテンツとコピー制御情報の配信例について］
次に、図３以下を参照して、放送局からの放送コンテンツとコピー制御情報の配信例について説明する。
【００３５】
なお、本開示の処理は、様々なコンテンツ配信フォーマットにおいて利用可能であるが、以下の実施例では、一例として、ヨーロッパの多くの国で４Ｋ画像や８Ｋ画像の配信フォーマットとして採用予定のＭＰＥＧ−２ＴＳフォーマットに従った放送コンテンツの配信方式を利用した場合の例について説明する。
【００３６】
図３は、放送局２１等の送信装置２０から、ユーザ側の受信装置である記録再生装置３１やＴＶ３２等の情報処理装置３０に対する放送コンテンツ等の配信構成例を示す図である。
【００３７】
送信装置２０は、いわゆる放送番組である放送コンテンツ（番組）を構成する画像、音声等のデータをＭＰＥＧ−２ＴＳフォーマットにおいて規定されるＴＳパケットに格納して情報処理装置（受信機）３０に配信する。
さらに、配信コンテンツに対応する利用制御情報（ＵＲＩ：Ｕｓａｇｅ  Ｒｕｌｅｓ  Ｉｎｆｏｒｍａｔｉｏｎ）を情報処理装置（受信機）３０に配信する。
なお、利用制御情報（ＵＲＩ）には、コピー制御情報が含まれる。
【００３８】
利用制御情報（ＵＲＩ）の配信方式については規定がなく、各国、各放送局で様々な方式が利用可能である。しかし、多くの場合は、放送コンテンツ（番組）を構成する画像、音声等のデータと同様、ＭＰＥＧ−２ＴＳフォーマットにおいて規定されるＴＳパケットに格納して送信する方式が利用される可能性が高い。
【００３９】
図４を参照して、ＭＰＥＧ−２ＴＳフォーマットについて説明する。
ＭＰＥＧ−２ＴＳフォーマットは画像（Ｖｉｄｅｏ）、音声（Ａｕｄｉｏ）、字幕（Ｓｕｂｔｉｔｌｅ）等、コンテンツ構成データである符号化データや管理情報（ＰＳＩ／ＳＩ）を記録媒体（メディア）に格納、または放送波やネットワークを介して伝送する際の符号化データ等のデータ格納形式（コンテナフォーマット）を規定したフォーマットである。
【００４０】
ＭＰＥＧ−２ＴＳフォーマットは、ＩＳＯ１３８１８−１において標準化されたフォーマットであり、デジタル放送の配信フォーマットのみならず、例えばＢＤ（Ｂｌｕ−ｒａｙ（登録商標）  Ｄｉｓｃ）に対するデータ記録にも用いられている。
【００４１】
図４（ａ）〜（ｃ）はＭＰＥＧ−２ＴＳフォーマットデータの構成を示す図である。
最下段に示す図４（ａ）は、ＭＰＥＧ−２ＴＳのフォーマットデータの全体構成を示す図である。
図４（ａ）に示すように、ＭＰＥＧ−２ＴＳフォーマットデータは、複数のエレメンタリストリーム（Ｅｌｅｍｅｎｔａｒｙ  ｓｔｒｅａｍ）によって構成される。
エレメンタリストリーム（Ｅｌｅｍｅｎｔａｒｙ  ｓｔｒｅａｍ）は、例えば画像、音声、字幕等の１つの単位として設定されるユニットである。
【００４２】
１つのエレメンタリストリーム（Ｅｌｅｍｅｎｔａｒｙ  ｓｔｒｅａｍ）は、図４（ｂ）に示すように、１つまたは複数のＰＥＳ（Ｐａｃｋｅｔｉｚｅｄ  Ｅｌｅｍｅｎｔａｒｙ  ｓｔｒｅａｍ）パケットによって構成される。
具体的には、１つのエレメンタリストリーム（Ｅｌｅｍｅｎｔａｒｙ  ｓｔｒｅａｍ）は、ペイロードタイプ（Ｐａｙｌｏａｄ＿ｔｙｐｅ）＝０ｘ０で、かつ同じパケット識別子（Ｐａｃｋｅｔ＿ｉｄ）を持つＰＥＳパケットの１つ、または複数から構成される。
【００４３】
１つのＰＥＳパケットは、図４（ｃ）に示すように、１つまたは複数のＴＳ（トランスポートストリーム）パケットによって構成される。
具体的には、１つのＰＥＳパケットは、ペイロードタイプ（Ｐａｙｌｏａｄ＿ｔｙｐｅ）＝０ｘ０で、かつ同じパケット識別子（Ｐａｃｋｅｔ＿ｉｄ）を持つＴＳパケットの１つ、または複数から構成される。
ＴＳパケットは、前述のＭＭＴＰパケットと異なり、固定長であり、１つのＴＳパケットのパケットサイズは、１８８バイトに固定されている。
【００４４】
次に、配信コンテンツに対応する利用制御情報（ＵＲＩ：Ｕｓａｇｅ  Ｒｕｌｅｓ  Ｉｎｆｏｒｍａｔｉｏｎ）の具体的なデータ構成例について、図５、図６を参照して説明する。ヨーロッパの複数の国で採用される予定のコピー制御情報を含む利用制御情報（ＵＲＩ）の規格としてＣＩ＋（ＣＩ  Ｐｌｕｓ）がある。
図５は、この利用制御情報（ＵＲＩ）の１つの規格であるＣＩ＋（ＣＩ  Ｐｌｕｓ）の利用制御情報（ＵＲＩ）の概要を説明する図である。
【００４５】
ＣＩ＋（ＣＩ  Ｐｌｕｓ）において規定されている利用制御情報（ＵＲＩ）は、図５（２）コンテンツ（番組）との対応関係の欄に説明しているように、１６ビットの番組識別子（ＭＰＥＧ２  ｐｒｏｇｒａｍ  ｎｕｍｂｅｒ）と対応付けられたデータである。すなわち番組単位でコピー制御情報を含む利用制御情報が規定される。
【００４６】
また、図５（３）放送局から受信機への配信方式の欄に記載しているように、受信機への配信方式は放送局依存であり、様々な方式が利用される予定である。
前述したようにヨーロッパの多くの国では４Ｋ画像や８Ｋ画像をＭＰＥＧ−２ＴＳフォーマットに従って配信する予定となっているが、この配信コンテンツに対応するコピー制御情報を含む利用制御情報（ＵＲＩ）の配信態様や、データ内容については、国や放送局単位で自由に取り決めることが可能な設定となっている。
【００４７】
次に、図６を参照して、ＣＩ＋（ＣＩ  Ｐｌｕｓ）規定に従った利用制御情報（ＵＲＩ）に含まれるコピー制御情報等の具体的なデータ（制御情報）について説明する。
ＣＩ＋（ＣＩ  Ｐｌｕｓ）には、図６に示すように、例えば、以下のデータが含まれる。
（１）アナログ出力コンテンツ保護情報（ａｐｓ＿ｃｏｎｔｒｏｌ＿ｉｎｆｏ）
（２）コンテンツ暗号化制御情報（ｅｍｉ＿ｃｏｐｙ＿ｃｏｎｔｒｏｌ＿ｉｎｆｏ）
（３）出力画像制御情報（ｉｃｔ＿ｃｏｐｙ＿ｃｏｎｔｒｏｌ＿ｉｎｆｏ）
（４）コンテンツ再送信制御情報（ｒｃｔ＿ｃｏｐｙ＿ｃｏｎｔｒｏｌ＿ｉｎｆｏ）
（５）デジタル限定出力制御情報（ｄｏｔ＿ｃｏｐｙ＿ｃｏｎｔｒｏｌ＿ｉｎｆｏ）
（６）コピー保持期限制御情報（ｒｌ＿ｃｏｐｙ＿ｃｏｎｔｒｏｌ＿ｉｎｆｏ）
（７）トリックモード制御情報（ｔｒｉｃｋ＿ｍｏｄｅ＿ｃｏｎｔｒｏｌ＿ｉｎｆｏ）
【００４８】
（１）アナログ出力コンテンツ保護情報（ａｐｓ＿ｃｏｎｔｒｏｌ＿ｉｎｆｏ）は、アナログ出力コンテンツに関する保護情報である。なお、ａｐｓ＝Ａｎａｌｏｇ  Ｐｒｏｔｅｃｔｉｏｎ  Ｓｙｓｔｅｍである。ビット値（２ビット）設定に応じた以下のアナログ出力コンテンツ保護情報が記録可能である。
００＝アナログ出力コンテンツ保護なし
（０１／１０／１１）＝アナログ出力コンテンツ保護あり（ビット値に応じた異なる保護態様が規定される）
【００４９】
（２）コンテンツ暗号化制御情報（ｅｍｉ＿ｃｏｐｙ＿ｃｏｎｔｒｏｌ＿ｉｎｆｏ）は、コンテンツに関する暗号化制御情報である。なお、ｅｍｉ＝Ｅｎｃｒｙｐｔｉｏｎ  Ｍｏｄｅ  Ｉｎｄｉｃａｔｏｒ）である。ビット値（２ビット）設定に応じた以下のコンテンツに関する暗号化制御情報が記録可能である。
００＝コピー制限なし（Ｃｏｐｙ  Ｆｒｅｅ）、
０１＝これ以上コピー不可（Ｎｏ  Ｍｏｒｅ  Ｃｏｐｙ）、
１０＝１世代コピーのみ許可（Ｃｏｐｙ  Ｏｎｃｅ）、
１１＝コピー不可（Ｃｏｐｙ  Ｎｅｖｅｒ）、
【００５０】
（３）出力画像制御情報（ｉｃｔ＿ｃｏｐｙ＿ｃｏｎｔｒｏｌ＿ｉｎｆｏ）は、出力画像に関する制御情報である。なお、ｉｃｔ＝Ｉｍａｇｅ  Ｃｏｎｓｔｒａｉｎｅｄ  Ｔｒｉｇｇｅｒ、またはＩｍａｇｅ  Ｃｏｎｓｔｒａｉｎｔ  Ｔｏｋｅｎである。アナログ出力時の解像度制限に関するルールが規定される。ビット値（１ビット）設定に応じた以下のアナログ出力時の解像度制限に関するルールが記録可能である。
０＝出力画像制限なし、
１＝出力画像制限（解像度制限）あり
【００５１】
（４）コンテンツ再送信制御情報（ｒｃｔ＿ｃｏｐｙ＿ｃｏｎｔｒｏｌ＿ｉｎｆｏ）は、コピーフリーコンテンツの再送信制限有無情報である。上記（２）暗号化モード情報（ｅｍｉ＿ｃｏｐｙ＿ｃｏｎｔｒｏｌ＿ｉｎｆｏ）＝００（コピー制限なし）の場合に適用される。なお、ｒｃｔ＝Ｒｅｄｉｓｔｒｉｂｕｔｉｏｎ  Ｃｏｎｔｒｏｌ  ｔｏｋｅｎである。ビット値（１ビット）設定に応じた以下のコピーフリーコンテンツの再送信制限有無情報が記録可能である。
０＝コンテンツ再送信制限なし、
１＝コンテンツ再送信制限あり
【００５２】
（５）デジタル限定出力制御情報（ｄｏｔ＿ｃｏｐｙ＿ｃｏｎｔｒｏｌ＿ｉｎｆｏ）は、アナログ出力を禁止するか否かを示すフラグである。なお、（ｄｏｔ＝Ｄｉｇｉｔａｌ  Ｏｎｌｙ  Ｔｏｋｅｎである。ビット値（１ビット）設定に応じた以下のデジタル限定出力制限情報が記録可能である。
０＝出力データをデジタルデータのみに制限しない（アナログ出力可）
１＝出力データをデジタルデータのみに制限（アナログ出力禁止）
【００５３】
（６）コピー保持期限制御情報（ｒｌ＿ｃｏｐｙ＿ｃｏｎｔｒｏｌ＿ｉｎｆｏ）は、コピー禁止コンテンツについて一定時間以内のコピーデータ再生（タイムシフト再生）を許容するか否かの情報と許容時間が記録される。なお、ｒｌ＝ｒｅｔｅｎｔｉｏｎ  ｌｉｍｉｔである。ビット値（８ビット）設定に応じてタイムシフト再生の許可，不許可情報と、許可される場合の許容タイムシフト時間が確認可能となる。なお、デフォルトのタイムシフト許容時間（ｒｅｔｅｎｔｉｏｎ  ｌｉｍｉｔ）は９０分である。
【００５４】
（７）トリックモード制御情報（ｔｒｉｃｋ＿ｍｏｄｅ＿ｃｏｎｔｒｏｌ＿ｉｎｆｏ）は、コンテンツの特殊再生（トリックプレー）、例えば早送り再生、スロー再生、スキップ再生等の特殊再生の再生制限情報が記録される。ビット値（１ビット）設定（０／１）がトリックモード再生制限の有無を示す。
【００５５】
このように、ヨーロッパの複数の国で採用予定のコピー制御情報を含む利用制御情報（ＵＲＩ）の規格であるＣＩ＋（ＣＩ  Ｐｌｕｓ）には、コンテンツの利用やコピー処理に関する様々な制御情報が規定される。
先に図５下部の表の項目（２）を参照して説明したように、これらの利用制御情報（ＵＲＩ）は、１６ビットの番組識別子（ＭＰＥＧ２  ｐｒｏｇｒａｍ  ｎｕｍｂｅｒ）と対応付けられたデータである。すなわち番組単位でコピー制御情報を含む利用制御情報が規定される。
【００５６】
先に図５下部の表の項目（３）を参照して説明したように、放送局から受信機への配信方式は放送局依存であり、様々な方式が利用される予定である。
図７以下を参照して、放送局から利用制御情報（ＵＲＩ）を送信する場合に利用可能な送信方法の例について説明する。
【００５７】
図７には、放送局２１の送信するＴＳパケット列を示している。各ＴＳパケットには、放送番組を構成する画像、音声、字幕等のコンテンツデータの他、様々な制御情報が格納される。これらのＴＳパケット中には、画像や音声ストリームなどのプログラム（番組）の要素との関係を表すテーブル情報も格納される。
【００５８】
テーブル情報はＰＳＩ（Ｐｒｏｇｒａｍ  Ｓｐｅｃｉｆｉｃ  Ｉｎｆｏｒｍａｔｉｏｎ）と呼ばれ、ＰＡＴ（Ｐｒｏｇｒａｍ  Ａｓｓｏｃｉａｔｉｏｎ  Ｔａｂｌｅ）や、ＰＭＴ（Ｐｒｏｇｒａｍ  Ｍａｐ  Ｔａｂｌｅ（プログラムマップテーブル））など複数のテーブルが含まれる。これらは、ＭＰＥＧ−２ＴＳフォーマットにおいて規定されるテーブルである。ＰＡＴには番組（プログラム）識別子に対応したＰＭＴのＰＩＤなどが記述される。
【００５９】
ＰＭＴには、番組（プログラム）に関する様々な制御情報が記録される。ＰＭＴを格納したＴＳパケットは、ＴＳパケットの一定間隔ごと（例えば１００ｍｓｅｃごと）に配置され、後続のＴＳパケットの再生データは先行するＰＭＴに記録された利用制御情報に従った利用を行うことが要求される。
【００６０】
図７示すＴＳパケット列中、パケット識別子ＰＩＤ＝０ｘ００の設定されたＴＳパケットがＰＡＴ格納パケットである。ユーザ側の受信装置である情報処理装置３０は、まず、パケット識別子ＰＩＤ＝０ｘ００の設定されたＴＳパケットからＰＡＴを取得し、ＰＡＴからＰＭＴ格納ＴＳパケットのパケット識別子（ＰＩＤ）を取得し、取得したＰＩＤの設定されたＴＳパケットを選択してそのＴＳパケットからＰＭＴ（プログラムマップテーブル）を取り出す。
【００６１】
ＰＭＴ（プログラムマップテーブル）には、番組（プログラム）に関する様々な制御情報が記録可能である。例えば、ＰＭＴに設定される記述子（ｄｅｓｒｉｐｔｏｒ）記録領域に様々な制御情報を記録することができる。
【００６２】
放送局２１は、番組（プログラム）単位のコピー制御情報を記録した利用制御情報（ＵＲＩ）についても、このＰＭＴの記述子（ｄｅｓｒｉｐｔｏｒ）記録領域に記録してユーザ側の受信機である情報処理装置３０に送信することが可能である。
【００６３】
図８は、ＰＭＴ（プログラムマップテーブル）の記述子（ｄｅｓｒｉｐｔｏｒ）記録領域にコピー制御情報を含む利用制御情報（ＵＲＩ）を記録した場合のデータ構成例（シンタクス（Ｓｙｎｔａｘ））を示す図である。
なお、データ構成（Ｓｙｎｔａｘ）に併せて、ビット数（Ｎｏ．  ｏｆ  ｂｉｔｓ）、データ表記（Ｍｎｅｍｏｎｉｃ）を示している。データ表記中の「ｕｉｍｓｂｆ」は「符号なし整数、最上位ビットが先頭」（ｕｎｓｉｇｎｅｄ  ｉｎｔｅｇｅｒ  ｍｏｓｔ  ｓｉｇｎｉｆｉｃａｎｔ  ｂｉｔ  ｆｉｒｓｔ）表記を意味する。なお、その他のデータ表記として、「ｂｓｌｂｆ」＝、「ビット列、左ビットが先頭」（ｂｉｔ  ｓｔｒｉｎｇ，ｌｅｆｔ  ｂｉｔ  ｆｉｒｓｔ）等がある。
【００６４】
図８に示すように、ＰＭＴ（プログラムマップテーブル）の記述子（ｄｅｓｒｉｐｔｏｒ）記録領域に、まず、記述子タグ（ｄｅｓｃｒｉｐｔｏｒ  ｔａｇ）と、記述子長（ｄｅｓｃｒｉｐｔｏｒ  ｌｅｎｇｔｈ）が記録される。さらに、利用制御情報（ＵＲＩ）開始位置を示すデータ（ｕｒｉ＿ｍｅｓｓａｇｅ）が記録され、その後に先に図６を参照して説明したＣＩ＋（ＣＩ  Ｐｌｕｓ）規定に従った利用制御情報（ＵＲＩ）に含まれるコピー制御情報を構成する以下の各データが記録される。
（１）アナログ出力コンテンツ保護情報（ａｐｓ＿ｃｏｎｔｒｏｌ＿ｉｎｆｏ）
（２）コンテンツ暗号化制御情報（ｅｍｉ＿ｃｏｐｙ＿ｃｏｎｔｒｏｌ＿ｉｎｆｏ）
（３）出力画像制御情報（ｉｃｔ＿ｃｏｐｙ＿ｃｏｎｔｒｏｌ＿ｉｎｆｏ）
（４）コンテンツ再送信制御情報（ｒｃｔ＿ｃｏｐｙ＿ｃｏｎｔｒｏｌ＿ｉｎｆｏ）
（５）デジタル限定出力制御情報（ｄｏｔ＿ｃｏｐｙ＿ｃｏｎｔｒｏｌ＿ｉｎｆｏ）
（６）コピー保持期限制御情報（ｒｌ＿ｃｏｐｙ＿ｃｏｎｔｒｏｌ＿ｉｎｆｏ）
（７）トリックモード制御情報（ｔｒｉｃｋ＿ｍｏｄｅ＿ｃｏｎｔｒｏｌ＿ｉｎｆｏ）
【００６５】
図７、図８を参照して説明した例は、ＰＭＴ（プログラムマップテーブル）の記述子（ｄｅｓｃｒｉｐｔｏｒ）に、ＣＩ＋（ＣＩ  Ｐｌｕｓ）規定に従った利用制御情報（ＵＲＩ）に含まれるコピー制御情報を記録して送信する例である。
放送局から受信装置に利用制御情報（ＵＲＩ）を送信する方法としては、この他の方法も利用可能である。もう一つの送信方法の例を図９、図１０を参照して説明する。
【００６６】
図９は、図７と同様、放送局２１の送信するＴＳパケット列を示した図である。図９に示す例は、図７、図８を参照して説明したＰＭＴ（プログラムマップテーブル）に利用制御情報（ＵＲＩ）を記録する構成ではなく、１つのＴＳパケット内にＣＩ＋（ＣＩ  Ｐｌｕｓ）規定に従った利用制御情報（ＵＲＩ）に含まれるコピー制御情報等の制御情報を記録して送信する例である。
【００６７】
図９に示すＴＳパケット列中の１つのパケットがＣＩ＋（ＣＩ  Ｐｌｕｓ）規定に従った利用制御情報（ＵＲＩ）に含まれる制御情報を記録したＴＳパケットである。
このＴＳパケットには、特定のパケット識別子（ＰＩＤ）がＴＳヘッダ中に記録される。このＰＩＤにより、このパケットが利用制御情報（ＵＲＩ）を格納したＴＳパケットであると判別することができる。
【００６８】
ＴＳパケットはＴＳヘッダと、ＴＳペイロードによって構成される。このＴＳパケットのＴＳペイロードとして、ＣＩ＋（ＣＩ  Ｐｌｕｓ）規定に従った利用制御情報（ＵＲＩ）を記録する。なお、前述したように、１つのＴＳパケットのパケットサイズは１８８バイトに固定されているので、パケットサイズは１８８バイトに調整することが必要である。パケットサイズ調整はアダプテーションフィールド（Ａｄａｐｔａｔｉｏｎ  ｆｉｅｌｄ）にダミーデータ（００００・・・）等を記録する等の処理によって行われる。
【００６９】
図１０は、１つのＴＳパケットにＣＩ＋（ＣＩ  Ｐｌｕｓ）規定に従った利用制御情報（ＵＲＩ）に含まれるコピー制御情報等の制御情報を記録した場合のデータ構成例（シンタクス（Ｓｙｎｔａｘ））を示す図である。
図１０に示すように、利用制御情報（ＵＲＩ）開始位置を示すデータ（ｕｒｉ＿ｍｅｓｓａｇｅ）が記録され、その後に先に図６を参照して説明したＣＩ＋（ＣＩ  Ｐｌｕｓ）規定に従った利用制御情報（ＵＲＩ）に含まれる以下の各データが記録される。
（１）アナログ出力コンテンツ保護情報（ａｐｓ＿ｃｏｎｔｒｏｌ＿ｉｎｆｏ）
（２）コンテンツ暗号化制御情報（ｅｍｉ＿ｃｏｐｙ＿ｃｏｎｔｒｏｌ＿ｉｎｆｏ）
（３）出力画像制御情報（ｉｃｔ＿ｃｏｐｙ＿ｃｏｎｔｒｏｌ＿ｉｎｆｏ）
（４）コンテンツ再送信制御情報（ｒｃｔ＿ｃｏｐｙ＿ｃｏｎｔｒｏｌ＿ｉｎｆｏ）
（５）デジタル限定出力制御情報（ｄｏｔ＿ｃｏｐｙ＿ｃｏｎｔｒｏｌ＿ｉｎｆｏ）
（６）コピー保持期限制御情報（ｒｌ＿ｃｏｐｙ＿ｃｏｎｔｒｏｌ＿ｉｎｆｏ）
（７）トリックモード制御情報（ｔｒｉｃｋ＿ｍｏｄｅ＿ｃｏｎｔｒｏｌ＿ｉｎｆｏ）
【００７０】
放送局２１は、例えば、図７、図８を参照して説明したようにＰＭＴ（プロクラムマップテーブル）の記述子として、あるいは、図９、図１０を参照して説明したように、１つのＴＳパケット内にＣＩ＋（ＣＩ  Ｐｌｕｓ）規定に従った利用制御情報（ＵＲＩ）を格納してユーザ側の受信装置である情報処理装置３０に送信することができる。
【００７１】
ユーザ側の受信装置である情報処理装置３０は、放送局から受信する利用制御情報（ＵＲＩ）を参照して受信コンテンツの利用制御、例えばコピー制御を行う。
しかし、受信コンテンツをＢＤやＨＤＤ等の情報記録媒体（メディア）に記録して利用することを想定すると、放送局から受信する利用制御情報（ＵＲＩ）、またはその継承情報をコンテンツ記録先のメディアに併せて記録しなければ、メディアに記録されたコンテンツの利用制御、すなわち放送局が意図した利用制御情報（ＵＲＩ）に従った利用制御を行わせることができない。
【００７２】
［３．放送局からの受信データを情報記録媒体（メディア）に記録する場合のフォーマットについて］
次に、放送局等から配信される配信コンテンツを例えばＢＤ（Ｂｌｕ−ｒａｙ（登録商標）  Ｄｉｓｃ）やフラッシュメモリ、あるいはＨＤＤ（ハードディスク等のメディアに記録して再生する場合の記録データフォーマットであるＢＤＡＶフォーマットとＳＰＡＶフォーマットについて図１１以下を参照して説明する。
【００７３】
例えばＢＤ（Ｂｌｕ−ｒａｙ（登録商標）  Ｄｉｓｃ）やフラッシュメモリやＨＤＤ等のメディアから、画像、音声、字幕等のコンテンツを再生する場合には、これらのコンテンツの再生処理を行なうための再生制御情報やインデックス情報が必要となる。再生制御情報やインデックス情報は一般的にデータベースファイルと呼ばれる。
これらの再生制御情報やインデックス情報は、メディアの記録データの再生処理を実行する再生アプリケーションに応じて異なるものとなる。
【００７４】
現行の記録再生アプリケーション規格（＝データ記録フォーマット）としてＢＤＭＶやＢＤＡＶ規格（データ記録フォーマット）がある。これらのアプリケーション規格は、主にＢＤ（Ｂｌｕ−ｒａｙ（登録商標）  Ｄｉｓｃ）を利用したデータ記録再生アプリケーション規格として策定されたものである。
【００７５】
なお、ＢＤＭＶやＢＤＡＶは、主にＢＤを利用したデータ記録再生のアプリケーション規格であり、データ記録フォーマット（規格）であるが、これらの規格はＢＤに限らず、フラッシュメモリなど、その他のＢＤ以外のメディアを利用したデータ記録再生にも適用可能である。
ＢＤＭＶは、例えば映画コンテンツなどを予め記録したＢＤ−ＲＯＭ向けに開発されたアプリケーション規格であり、主に、パッケージコンテンツ等の書き換え不能なＢＤ−ＲＯＭで広く使われている。
一方、ＢＤＡＶは、主に書き換え可能なＢＤ−ＲＥ型ディスクや、一回のみ記録可能なＢＤ−Ｒ型ディスク等を利用したデータ記録再生処理に適用することを目的として開発された規格である。ＢＤＡＶは、例えばユーザがビデオカメラなどで撮影した映像の記録再生やテレビ放送を記録し再生するために利用される。
【００７６】
メディアからのコンテンツ再生処理を、ＢＤＡＶフォーマット対応の再生アプリケーションを利用して行なうためには、このＢＤＡＶフォーマットに従ってデータ記録を行うことが必要である。
前述のように、ＢＤＡＶフォーマットは、再生制御情報の記録ファイルとして、プレイリストファイルやクリップ情報ファイル等を規定しており、ＢＤＡＶ対応再生アプリケーションはこれらの再生制御情報ファイル（データベースファイル）の記録情報を利用してデータ再生処理を実行する。
【００７７】
図１１は、情報記録媒体（メディア）４０にＢＤＡＶフォーマットに従って記録されたデータのディレクトリ構成例を示す図である。
ディレクトリには、図１１に示すように様々な管理情報、再生制御情報、再生対象データの格納ファイルが設定される。
【００７８】
管理情報ファイルは、例えば、図１１に示すインフォファイル（ｉｎｆｏ）、メニューファイル（ｍｅｎｕ）、マークファイル（ｍａｒｋ）等によって構成される。これらは、主にユーザに見せるタイトルの管理情報等を格納する。
また、再生制御情報ファイルとして、
プレイリストファイル（ｐｌａｙｌｉｓｔ）、
クリップ情報ファイル（ｃｌｉｐｉｎｆ）
例えば、これらのファイルが記録される。
さらに、再生データ格納ファイルとして、クリップＡＶストリームファイル（ｓｔｒｅａｍ）が記録される。
【００７９】
プレイリストファイルは、タイトルによって指定される再生プログラムのプログラム情報に従ってコンテンツの再生順等を規定したファイルであり、例えば、再生位置情報等を記録したクリップ情報ファイルの指定情報等を有する。
クリップ情報ファイルは、プレイリストファイルによって指定されるファイルであり、クリップＡＶストリームファイルの再生位置情報等を有する。
【００８０】
クリップＡＶストリームファイルは、再生対象となるＡＶストリームデータや管理情報を格納したファイルである。クリップＡＶストリームファイルは、再生対象となる画像、音声、字幕等の各データや、管理情報を格納したパケットによって構成される。
なお、ＭＰＥＧ−２ＴＳフォーマットにおいて規定され、クリップＡＶストリームファイルに記録される管理情報として、例えば、ＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）がある。
【００８１】
管理情報ファイル、プレイリストファイル、クリップ情報ファイル、これらのデータファイルは、クリップＡＶストリームファイルに格納された再生データである画像、音声、字幕等の再生処理に適用する管理情報の格納ファイルである。これらは、再生制御情報や、再生データの属性情報等を格納したファイルであり、データベースファイルと呼ばれる。
【００８２】
情報記録媒体に記録されたコンテンツを再生するシーケンスは以下の通りである。
（ａ）まず、再生アプリケーションによって管理情報ファイルから特定のタイトルを指定する。
（ｂ）指定されたタイトルに関連付けられたプレイリストが選択される。
（ｃ）選択されたプレイリストに規定されたクリップ情報によって、コンテンツ実データとしてのＡＶストリームあるいはコマンドが読み出されて、ＡＶストリームの再生や、コマンドの実行処理が行われる。
【００８３】
図１２は、情報記録媒体（メディア）４０に記録される以下のデータ、すなわち、
プレイリストファイル、
クリップ情報ファイル、
クリップＡＶストリームファイル、
これらのデータの対応関係を説明する図である。
【００８４】
実際の再生対象データである画像、音声、字幕等の再生対象データからなるＡＶストリームはクリップＡＶストリーム（Ｃｌｉｐ  ＡＶ  Ｓｔｒｅａｍ）ファイルとして記録され、さらに、これらのＡＶストリームの管理情報、再生制御情報ファイルとして、プレイリスト（ＰｌａｙＬｉｓｔ）ファイルと、クリップ情報（Ｃｌｉｐ  Ｉｎｆｏｒｍａｔｉｏｎ）ファイルが規定される。
【００８５】
これら複数のカテゴリのファイルは、図１２に示すように、
プレイリスト（ＰｌａｙＬｉｓｔ）ファイルを含むプレイリストレイヤ、
クリップＡＶストリーム（Ｃｌｉｐ  ＡＶ  Ｓｔｒｅａｍ）ファイルと、クリップ情報（Ｃｌｉｐ  Ｉｎｆｏｒｍａｔｉｏｎ）ファイルからなるクリップレイヤ、
これらの２つのレイヤに区分できる。
【００８６】
なお、一つのクリップＡＶストリーム（Ｃｌｉｐ  ＡＶ  Ｓｔｒｅａｍ）ファイルには一つのクリップ情報（Ｃｌｉｐ  Ｉｎｆｏｒｍａｔｉｏｎ）ファイルが対応付けられ、これらのペアを一つのオブジェクトと考え、これらをまとめてクリップ（Ｃｌｉｐ）、あるいはクリップファイルと呼ぶ。
クリップＡＶストリームファイルに含まれるデータの詳細情報、例えばＭＰＥＧデータのＩピクチャ位置情報などを記録したＥＰマップなどの管理情報がクリップ情報ファイルに記録される。
【００８７】
なお、クリップＡＶストリーム（Ｃｌｉｐ  ＡＶ  Ｓｔｒｅａｍ）ファイルは、ＭＰＥＧ−２ＴＳフォーマットデータである場合はＴＳパケットによって構成される。
また、ＭＭＴフォーマットデータである場合はＭＭＴＰパケットによって構成される。
【００８８】
クリップ情報（Ｃｌｉｐ  Ｉｎｆｏｒｍａｔｉｏｎ）ファイルは、例えば、クリップＡＶストリームファイルのバイト列データのデータ位置と、時間軸上に展開した場合の再生開始ポイントである（エントリポイント：ＥＰ）等の再生時間位置等の対応データ等、クリップＡＶストリームファイルの格納データの再生開始位置などを取得するための管理情報を格納している。
【００８９】
プレイリストは、クリップ（Ｃｌｉｐ）の再生開始位置や再生終了位置に対応するアクセスポイントを時間軸上の情報であるタイムスタンプで指し示す情報を有する。
例えば、コンテンツの開始点からの再生時間経過位置を示すタイムスタンプに基づいてクリップ情報ファイルを参照して、クリップＡＶストリームファイルのデータ読み出し位置、すなわち再生開始点としてのアドレスを取得することが可能となる。
クリップ情報ファイル（Ｃｌｉｐ  Ｉｎｆｏｒｍａｔｉｏｎ  ｆｉｌｅ）は、このタイムスタンプから、クリップＡＶストリームファイル中のストリームのデコードを開始すべきアドレス情報を見つけるために利用される。
【００９０】
このように、プレイリスト（ＰｌａｙＬｉｓｔ）ファイルは、クリップ（＝クリップ情報ファイル＋クリップＡＶストリームファイル）レイヤに含まれる再生可能データに対する再生区間の指定情報を有する。
プレイリスト（ＰｌａｙＬｉｓｔ）ファイルには、１つ以上のプレイアイテム（ＰｌａｙＩｔｅｍ）が設定され、プレイアイテムの各々が、クリップ（＝クリップ情報ファイル＋クリップＡＶストリームファイル）レイヤに含まれる再生可能データに対する再生区間の指定情報を有する。
【００９１】
なお、再生対象データを格納したクリップＡＶストリーム（Ｃｌｉｐ  ＡＶ  Ｓｔｒｅａｍ）ファイルは、前述したように、従来型のＭＰＥＧ−２ＴＳフォーマットデータである場合はＴＳパケットによって構成される。
先に図４を参照して説明したＭＰＥＧ−２ＴＳフォーマットに従ったＴＳパケット列である。
【００９２】
なお、ＢＤＡＶフォーマットに類似するフォーマットとしてＳＰＡＶフォーマットがある。前述したように、ＢＤＭＶやＢＤＡＶは、主にＢＤを利用したデータ記録再生のアプリケーション規格である。これに対して、ＳＰＡＶフォーマットは、主にハードディスクに対するデータ記録再生のアプリケーション規格である。
ただし、ＢＤＡＶフォーマット、ＳＰＡＶフォーマットのいずれも、ＢＤ，フラッシュメモリ、ＨＤＤ等、様々なメディアを利用した記録再生に利用可能なフォーマットである。
【００９３】
ＳＰＡＶフォーマットデータは、ＢＤＡＶフォーマットにおけるデータ記録再生処理と同様の処理によってデータ記録再生を実行可能である。ただし、ＳＰＡＶフォーマットは、ファイル名設定が、ＢＤＡＶフォーマットと一部、異なっている。
図１３にＳＰＡＶフォーマットのディレクトリ構成例を示す。
【００９４】
図１３に示すＳＰＡＶフォーマットのディレクトリには、先に図２を参照して説明したＢＤＡＶフォーマットと同様、様々な管理情報、再生制御情報、再生対象データの格納ファイルが設定される。
【００９５】
管理情報ファイルは、例えば、図１３に示すインフォファイル（ＩＮＦＯ）、メニューファイル（ＭＥＮＵ）、マークファイル（ＭＡＲＫ）等によって構成される。これらは、主にユーザに見せるタイトルの管理情報等を格納する。
また、再生制御情報ファイルとして、
プレイリストファイル（ＰＬＡＹＬＩＳＴ）、
クリップ情報ファイル（ＣＬＩＰＩＮＦ）
例えば、これらのファイルが記録される。
さらに、再生データ格納ファイルとして、クリップＡＶストリームファイル（ＳＴＲＥＡＭ）が記録される。
【００９６】
図１３に示すようにＳＰＡＶフォーマットのディレクトリ名や各ファイルの拡張子の設定が、図１１を参照して説明したＢＤＡＶフォーマットと異なっている。
ただし、各ファイルに格納されるデータや、各ファイルの役割は、ＢＤＡＶフォーマットと同様である。
【００９７】
［４．情報記録媒体（メディア）に記録されたデータの利用制御処理について］
次に、情報記録媒体（メディア）に記録されたデータの利用制御処理について説明する。
前述したＢＤＡＶフォーマットやＳＰＡＶフォーマットに従ってＢＤやＨＤＤ等の情報記録媒体（メディア）に記録されたコンテンツについてのコピー制御や利用制御は、ＡＡＣＳ（Ａｄｖａｎｃｅｄ  Ａｃｃｅｓｓ  Ｃｏｎｔｅｎｔ  Ｓｙｓｔｅｍ）規定に従って行われる。
しかし、放送コンテンツはＡＡＣＳ規定に拘束されず、ＡＡＣＳ規定に従う必要がない。多くの場合、ＡＡＣＳ規定とは無関係の独自の利用制御情報を規定して配信がなされる。すなわち、先に説明したＣＩ＋（ＣＩ  Ｐｌｕｓ）等の独自の利用制御情報が利用される。
【００９８】
従って、放送コンテンツをＢＤやＨＤＤ等の情報記録媒体（メディア）に記録し、この記録データの利用制御を放送コンテンツに併せて受信したＣＩ＋（ＣＩ  Ｐｌｕｓ）規定の利用制御情報を継承した情報に従って行わせるためには、受信したＣＩ＋（ＣＩ  Ｐｌｕｓ）規定の利用制御情報をＡＡＣＳ規定の利用制御情報に変換して情報記録媒体（メディア）に記録することが必要となる。
【００９９】
このように、放送コンテンツを受信して情報記録媒体（メディア）にデータを記録する情報処理装置は、放送コンテンツに併せて放送局から受信するコピー制御情報を含む利用制御情報について、ＡＡＣＳ規定の利用制御情報に変換して記録する処理、すなわち異なる規格の２つの利用制御情報のマッピング処理を行って、マッピング結果として得られるデータ（ＡＡＣＳ規定の利用制御情報）を生成して情報記録媒体に記録する処理を行うことが必要となる。
【０１００】
このマッピング処理の詳細については後段で説明する。まず、ＡＡＣＳ規定の利用制御情報について説明する。
ＡＡＣＳ規定にはＡＡＣＳ１とＡＡＣＳ２の２種類の規定がある。
ＡＡＣＳ２は、従来のＡＡＣＳ１規定をベースとして、４Ｋコンテンツ等の高画質コンテンツに対応させるために新たに策定された規定である。
【０１０１】
図１４は、ＡＡＣＳ２において規定されているコピー制御情報等の利用制御情報のデータ例を示す図である。図１４に示すようにＡＡＣＳ２には以下の制御情報が規定されている。
（１）ＥＰＮ（１ビット）：コピー処理時の出力データ暗号化要否情報
（２）ＣＣＩ（２ビット）：コピー制御情報
（３）Ｓｔａｎｄａｒｄ＿Ｄｉｇｉｔａｌ＿Ｏｕｔｐｕｔ＿Ｆｌａｇ（１ビット）：デジタル出力許容規格情報
（４）Ｍｏｖｅ＿Ｎｏｔ＿Ａｌｌｏｗｅｄ（１ビット）：ムーブ処理許容情報
（５）Ｔｒｕｓｔｅｄ＿Ｓｏｕｒｃｅ＿Ｍａｒｋ＿Ｓｃｒｅｅｎｉｎｇ＿Ｒｅｑｕｉｒｅｄ（１ビット）：ソース確認処理（電子透かし（Ｗａｔｅｒｍａｒｋ）検出処理）要否情報
【０１０２】
（１）ＥＰＮは、コピー処理時の出力データ暗号化要否情報である。ビット値（１ビット）設定に応じた以下のコピー処理時の出力データ暗号化要否情報が記録可能である。
０＝コピー出力データの暗号化必要（ＥＰＮ−ａｓｓｅｒｔｅｄ）
１＝コピー出力データの暗号化不要（ＥＰＮ−ｕｎａｓｓｅｒｔｅｄ）
【０１０３】
（２）ＣＣＩ（コピー制御情報）は、コピー処理の許容情報である。ビット値（２ビット）設定に応じた以下のコピー制御情報が記録可能である。
００＝コピー制限なし（Ｃｏｐｙ  Ｃｏｎｔｒｏｌ  Ｎｏｔ  Ａｓｓｅｒｔｅｄ）
０１＝これ以上コピー不可（Ｎｏ  Ｍｏｒｅ  Ｃｏｐｙ）
１０＝１世代のみコピー可（Ｃｏｐｙ  Ｏｎｅ  Ｇｅｎｅｒａｔｉｏｎ）
１１＝コピー不可（Ｎｅｖｅｒ  Ｃｏｐｙ）
【０１０４】
（３）Ｓｔａｎｄａｒｄ＿Ｄｉｇｉｔａｌ＿Ｏｕｔｐｕｔ＿Ｆｌａｇは、デジタル出力許容規格情報である。ビット値（１ビット）設定に応じた以下のデジタル出力許容規格情報が記録可能である。
０＝新保護技術（例えばＨＤＣＰ２．２）のみに出力可能
１＝新旧保護技術（例えばＨＤＣＰ２．２とＨＤＣＰ１．４）双方に出力可能
なお、ＨＤＣＰ２．２は４Ｋ画像等、ＵＨＤ（Ｕｌｔｒａ  Ｈｉｇｈ  Ｄｅｆｉｎｉｔｉｏｎ）画像の処理に対応した規格、すなわち、デジタルデータの出力を行うＨＤＭＩ（登録商標）などによるデジタルデータ出力に関する著作権保護規格である
【０１０５】
（４）Ｍｏｖｅ＿Ｎｏｔ＿Ａｌｌｏｗｅｄは、ムーブ処理許容情報である。ビット値（１ビット）設定に応じて、ムーブ処理の許容有無情報が記録可能である。
【０１０６】
（５）Ｔｒｕｓｔｅｄ＿Ｓｏｕｒｃｅ＿Ｍａｒｋ＿Ｓｃｒｅｅｎｉｎｇ＿Ｒｅｑｕｉｒｅｄは、コンテンツ出力に際してソース確認処理（電子透かし（Ｗａｔｅｒｍａｒｋ）検出処理）が必要か否かを定めた情報である。ビット値（１ビット）設定に応じて、ソース確認処理の要否情報が記録可能である。
【０１０７】
一方、図１５は、従来のＡＡＣＳ１に規定された利用制御情報の例を示す図である。図１５に示すようにＡＡＣＳ１には以下の利用制御情報が規定されている。
（１）ＥＰＮ（１ビット）：コピー処理時の出力データ暗号化要否情報
（２）ＣＣＩ（２ビット）：コピー制御情報
（３）Ｍｏｖｅ＿Ｎｏｔ＿Ａｌｌｏｗｅｄ（１ビット）：ムーブ処理許容情報
（４）Ｔｒｕｓｔｅｄ＿Ｓｏｕｒｃｅ＿Ｍａｒｋ＿Ｓｃｒｅｅｎｉｎｇ＿Ｒｅｑｕｉｒｅｄ（１ビット）：ソース確認処理（電子透かし（Ｗａｔｅｒｍａｒｋ）検出処理）要否情報
（５）Ｉｍａｇｅ＿Ｃｏｎｓｔｒａｉｎｔ＿Ｔｏｋｅｎ（１ビット）：出力画像制御情報
（６）Ｄｉｇｉｔａｌ＿Ｏｎｌｙ＿Ｔｏｋｅｎ（１ビット）：デジタル限定出力制御情報
（７）ＡＰＳＴＢ（Ａｎａｌｏｇ  Ｐｒｏｔｅｃｔｉｏｎ  Ｓｙｓｔｅｍ  Ｔｒｉｇｇｅｒ  Ｂｉｔ）（３ビット）：アナログ出力コンテンツの保護ルール
【０１０８】
上記（１）〜（７）中、（１）〜（４）の各データは、ＡＡＣＳ２の規定と同様の規定である。
【０１０９】
（５）Ｉｍａｇｅ＿Ｃｏｎｓｔｒａｉｎｔ＿Ｔｏｋｅｎは、出力画像制御情報である。アナログ出力時の解像度制限に関するルールが記録される。ビット値（１ビット）設定に応じた以下の出力画像制御情報が記録可能である。
０＝出力画像制限（解像度制限）あり、
１＝出力画像制限（解像度制限）なし、
【０１１０】
（６）Ｄｉｇｉｔａｌ＿Ｏｎｌｙ＿Ｔｏｋｅｎは、デジタル限定出力制御情報である。アナログ出力を禁止するか否かの情報が記録される。ビット値（１ビット）設定に応じた以下のデジタル限定出力制御情報が記録可能である。
０＝出力データをデジタルデータのみに制限しない（アナログ出力可）、
１＝出力データをデジタルデータのみに制限する（アナログ出力禁止）、
【０１１１】
（７）ＡＰＳＴＢは、アナログ出力コンテンツの保護ルールである。ビット値（３ビット）設定に応じた様々なアナログ出力コンテンツの保護ルールが記録される。例えば以下の設定が記録される
０００＝アナログ出力コンテンツの保護なし
００１＝ＡＰＳ１（Ａｎａｌｏｇ  Ｐｒｏｔｅｃｔｉｏｎ  Ｓｙｓｔｅｍ  １）ｏｎ：ｔｙｐｅ１（ＡＧＣ）
０１０＝ＡＰＳ１（Ａｎａｌｏｇ  Ｐｒｏｔｅｃｔｉｏｎ  Ｓｙｓｔｅｍ  １）ｏｎ：ｔｙｐｅ２（ＡＧＣ＋２Ｌ  ｃｏｌｏｕｒ  ｓｔｒｉｐｅ）
０１１＝ＡＰＳ１（Ａｎａｌｏｇ  Ｐｒｏｔｅｃｔｉｏｎ  Ｓｙｓｔｅｍ  １）ｏｎ：ｔｙｐｅ３（ＡＧＣ＋４Ｌ  ｃｏｌｏｕｒ  ｓｔｒｉｐｅ）
【０１１２】
ＡＡＣＳ１では、これら図１５に示すコピー制御情報を含む利用制御情報が規定されている。
情報記録媒体（メディア）に記録されたデータの利用制御は、図１４、図１５を参照して説明したＡＡＣＳ２、またはＡＡＣＳ１の規定に従って実行される。
例えばＢＤ等の情報記録媒体（メディア）を装着して再生を行う情報再生装置は、ＡＡＣＳ１、またはＡＡＣＳ２規定の処理を実行可能なＡＡＣＳの認定機器（ＡＡＣＳ１対応機器、またはＡＡＣＳ２対応機器）であることが必要である。
これらＡＡＣＳ対応機器は、ＡＡＣＳ規定に従った利用制御情報を情報記録媒体（メディア）から読み取って、読み取った利用制御情報に従ったコンテンツ利用やコピー処理を実行する。
【０１１３】
次に、図１６を参照してＡＡＣＳ規定の利用制御情報の記録先について説明する。
図１６は、情報記録媒体（メディア）４０に記録されたデータのディレクトリ構成例を示す図である。図１６に示すディレクトリは、ＡＡＣＳ２の管理データを含むＢＤＡＶフォーマットのディレクトリである。先に図１１を参照して説明したＢＤＡＶディレクトリに並列にＡＡＣＳディレクトリが設定され、ＡＡＣＳディレクトリに様々なＡＡＣＳ管理データ記録される。
なお、先に図１３を参照して説明したＳＰＡＶディレクトリにも、上位にＡＡＣＳ管理データが記録される。
【０１１４】
図１６に示す例は、ＡＡＣＳ２規定のＡＡＣＳ２ディレクトリを有する設定であるが、ＢＤＡＶディレクトリ下のデータが、ＡＡＣＳ１規定のデータの場合は、ＡＡＣＳ１ディレクトリが設定される。
図１６に示すようにディレクトリは、管理情報設定部１１１（ＡＡＣＳディレクトリ）と、データ部１１２（ＢＤＡＶディレクトリ）を有する。
管理情報設定部１１１（ＡＡＣＳディレクトリ）には、データの暗号化鍵であるＣＰＳユニットキーファイルや利用制御情報ファイル（Ｕｓａｇｅ  Ｆｉｌｅ）などが格納される。
【０１１５】
一方、データ部１１２のＢＤＡＶディレクトリ以下には、
インデックスファイル、
プレイリストファイル、
クリップ情報ファイル、
クリップＡＶストリームファイル、
例えば、これらのファイルが記録される。
【０１１６】
ＡＡＣＳ規定のコピー制御情報を含む利用制御情報は、図１６に示す管理情報設定部１１１（ＡＡＣＳディレクトリ）内に記録される利用制御情報ファイル（Ｕｓａｇｅ  Ｆｉｌｅ）１２１に記録可能である。さらに、データ部１１２のクリップＡＶストリームファイル内の埋め込み型コピー制御情報（Ｅｍｂｅｄｅｄ  ＣＣＩ）１２２としても記録可能である。少なくともいずれか一方にはＡＡＣＳ規定のコピー制御情報を含む利用制御情報が記録される。両方に記録することも可能である。
なお、埋め込み型コピー制御情報（Ｅｍｂｅｄｅｄ  ＣＣＩ）のＣＣＩとはコピー制御情報（Ｃｏｐｙ  Ｃｏｎｔｒｏｌ  Ｉｉｆｏｒｍａｔｉｏｎ）を意味する。
【０１１７】
利用制御情報ファイル（Ｕｓａｇｅ  Ｆｉｌｅ）１２１は、例えば１つのクリップ情報ファイル単位で設定される。例えば情報記録媒体に記録された１つの番組等のコンテンツが１つのクリップ情報ファイルを適用して再生される場合、そのコンテンツ対応の利用制御情報は１つの利用制御情報ファイル内に記録される。
【０１１８】
埋め込み型コピー制御情報（Ｅｍｂｅｄｅｄ  ＣＣＩ）１２２は、クリップＡＶストリームファイルを構成するＴＳパケット内に格納されるＰＭＴ（Ｐｒｏｇｒａｍ  Ｍａｐ  Ｔａｂｌｅ（プログラムマップテーブル））に記録される。ＰＭＴ（Ｐｒｏｇｒａｍ  Ｍａｐ  Ｔａｂｌｅ（プログラムマップテーブル））は、先に図７、図８を参照して説明した放送局が配信するＴＳパケット内のＰＭＴと同様のデータである。
ＴＳパケットの一定間隔ごと（例えば１００ｍｓｅｃごと）にＰＭＴが格納されたＴＳパケットが配置され、後続のＴＳパケットの再生データは先行するＰＭＴに記録された利用制御情報に従った利用を行うことが要求される。
【０１１９】
［５．放送局の配信コンテンツを情報記録媒体に記録する際のコピー制御情報を含む利用制御情報の変換と記録処理について］
次に、放送局の配信コンテンツを情報記録媒体に記録する際のコピー制御情報を含む利用制御情報の変換と記録処理について説明する。
【０１２０】
先に説明したように、放送局が配信する番組等のコンテンツには、図１４や図１５に示すＡＡＣＳ規定の利用制御情報は設定されていない。放送局が配信する番組等のコンテンツには、ＡＡＣＳ規定の利用制御情報とは異なる利用制御情報、すなわち、例えば先に図５、図６を参照して説明したＣＩ＋（ＣＩ  Ｐｌｕｓ）規定等、独自の利用制御情報が設定されている。
【０１２１】
従って、放送波を受信して、情報記録媒体（メディア）にデータを記録する情報処理装置は、放送データをＢＤやＨＤＤ等の情報記録媒体（メディア）に記録する場合、放送コンテンツに併せて受信したＣＩ＋（ＣＩ  Ｐｌｕｓ）規定等、配信コンテンツ独自の利用制御情報をＡＡＣＳ規定の利用制御情報に変換して情報記録媒体（メディア）に記録することが必要となる。すなわちコピー制御情報を含む利用制御情報について、異なる規格間のマッピング処理を行って情報記録媒体（メディア）に記録することが必要となる。
【０１２２】
具体的な処理例について図１７を参照して説明する。
図１７には、放送局等の送信装置２０から、放送コンテンツ（番組）を受信してＢＤ、ＨＤＤ等の情報記録媒体（メディア）４０に記録する処理を行う情報処理装置３０を示している。情報処理装置３０は、例えば記録再生装置やＴＶ等の装置である。
【０１２３】
放送局等の送信装置２０は、放送コンテンツ（番組）を配信するとともに、この放送コンテンツ（番組）対応の利用制御情報を配信する。この利用制御情報は、先に図１４や図１５を参照して説明したＡＡＣＳ規定の利用制御情報ではなく、例えば先に図５、図６を参照して説明したＣＩ＋（ＣＩ  Ｐｌｕｓ）規定等、独自の規格に従った利用制御情報である。
【０１２４】
情報処理装置３０は、放送局等の送信装置２０から、放送コンテンツ（番組）と、ＣＩ＋（ＣＩ  Ｐｌｕｓ）規定等、独自の規格に従った利用制御情報を受信する。さらに、情報処理装置３０が、受信した放送コンテンツ（番組）を情報記録媒体（メディア）４０に記録する場合、情報処理装置３０は、放送コンテンツに併せて受信したＣＩ＋（ＣＩ  Ｐｌｕｓ）規定等の利用制御情報を、ＡＡＣＳ規定の利用制御情報に変換して情報記録媒体（メディア）４０に記録することが必要となる。
このように情報処理装置３０は、コピー制御情報を含む利用制御情報について、異なる規格間のマッピング処理を行って情報記録媒体（メディア）に記録することが必要となる。
【０１２５】
先に図６を参照して説明したＣＩ＋（ＣＩ  Ｐｌｕｓ）規定に対応する利用制御情報と、図１４、図１５を参照して説明したＡＡＣＳ規定の利用制御情報は、多くの類似する規定を含む。例えば、図６を参照して説明したＣＩ＋（ＣＩ  Ｐｌｕｓ）規定に含まれる以下の情報、すなわち、
（１）アナログ出力コンテンツ保護情報（ａｐｓ＿ｃｏｎｔｒｏｌ＿ｉｎｆｏ）
（２）コンテンツ暗号化制御情報（ｅｍｉ＿ｃｏｐｙ＿ｃｏｎｔｒｏｌ＿ｉｎｆｏ）
（３）出力画像制御情報（ｉｃｔ＿ｃｏｐｙ＿ｃｏｎｔｒｏｌ＿ｉｎｆｏ）
（４）コンテンツ再送信制御情報（ｒｃｔ＿ｃｏｐｙ＿ｃｏｎｔｒｏｌ＿ｉｎｆｏ）
（５）デジタル限定出力制御情報（ｄｏｔ＿ｃｏｐｙ＿ｃｏｎｔｒｏｌ＿ｉｎｆｏ）
これらの（１）〜（５）の情報については、これらＣＩ＋（ＣＩ  Ｐｌｕｓ）規定の設定値を、図１４、図１５を参照して説明したＡＡＣＳ規定の各設定値に変換して記録することが可能となる。
【０１２６】
いわゆるマッピング処理によってＣＩ＋（ＣＩ  Ｐｌｕｓ）規定の設定値をＡＡＣＳ規定の設定値に変換して情報記録媒体に記録することが可能となる。
このマッピング処理の具体例については後段で詳細に説明する。
【０１２７】
また、図６を参照して説明したＣＩ＋（ＣＩ  Ｐｌｕｓ）規定に含まれる以下の情報、すなわち、
（６）コピー保持期限制御情報（ｒｌ＿ｃｏｐｙ＿ｃｏｎｔｒｏｌ＿ｉｎｆｏ）
この制御情報は、図１４、図１５を参照して説明したＡＡＣＳ規定の利用制御情報には存在しない。しかし、この情報は数時間程度の記録データの保持、再生を許容するか否かを示すデータである。例えばＴＶに一体化されたＨＤＤ等のメディアに一時的に記録する場合に、ＴＶがＣＩ＋（ＣＩ  Ｐｌｕｓ）規定に従った処理を実行して、規定時間内の再生が実行されなかった場合に再生を禁止する処置が行われる。
【０１２８】
従って、この（６）コピー保持期限制御情報（ｒｌ＿ｃｏｐｙ＿ｃｏｎｔｒｏｌ＿ｉｎｆｏ）は、長期的なコピーデータの利用制御には使用されないデータである。従ってＡＡＣＳ規定のコピー制御情報に変換して記録する必要性が低いデータであり、本開示の情報処理装置３０は、この制御情報については情報記録媒体（メディア）４０に記録しない。
【０１２９】
さらに、図６を参照して説明したＣＩ＋（ＣＩ  Ｐｌｕｓ）規定に含まれる以下の制御情報、すなわち、
（７）トリックモード制御情報（ｔｒｉｃｋ＿ｍｏｄｅ＿ｃｏｎｔｒｏｌ＿ｉｎｆｏ）
この制御情報も、図１４、図１５を参照して説明したＡＡＣＳ規定の利用制御情報には存在しないが、コピーデータの利用制御に際しても必要な制御情報であると推定される。従って、放送局から放送番組を受信して情報記録媒体（メディア）にデータを記録する情報処理装置３０は、放送データをＢＤやＨＤＤ等の情報記録媒体（メディア）に記録する場合、この（７）トリックモード制御情報（ｔｒｉｃｋ＿ｍｏｄｅ＿ｃｏｎｔｒｏｌ＿ｉｎｆｏ）に対応する制御情報を、既存のＡＡＣＳ規定の制御情報に追加して記録する。
【０１３０】
すなわち、図１８に示すようにＡＡＣＳ規定の利用制御情報に対する追加制御情報として、
（追加制御情報）トリックモード制御情報（ｔｒｉｃｋ＿ｍｏｄｅ＿ｃｏｎｔｒｏｌ＿ｉｎｆｏ）
この制御情報を追加記録する。
【０１３１】
情報記録媒体に追加記録される「トリックモード制御情報（ｔｒｉｃｋ＿ｍｏｄｅ＿ｃｏｎｔｒｏｌ＿ｉｎｆｏ）」は、情報記録媒体に記録されたコピーコンテンツの特殊再生（トリックプレー）、すなわち早送り再生や、スロー再生、スキップ再生等の特殊再生を制限（禁止等）するか否かを示す１ビットのデータである。ビットの値に応じて以下の情報を示す。
０＝トリックモード再生（特殊再生）制限なし
１＝トリックモード再生（特殊再生）制限あり
【０１３２】
図１７を参照して説明したように、情報処理装置３０は、放送局等の送信装置２０から、放送コンテンツ（番組）と、ＣＩ＋（ＣＩ  Ｐｌｕｓ）規定等、独自の規格に従った利用制御情報を受信し、受信した放送コンテンツ（番組）を情報記録媒体（メディア）４０に記録する。この処理に際して、情報処理装置３０は、放送コンテンツに併せて受信したＣＩ＋（ＣＩ  Ｐｌｕｓ）規定等の利用制御情報を、ＡＡＣＳ規定の利用制御情報に変換して情報記録媒体（メディア）４０に記録する
【０１３３】
情報処理装置３０が情報記録媒体４０に記録する利用制御情報は、先に図１６を参照して説明したように、利用制御情報ファイル（Ｕｓａｇｅ  Ｆｉｌｅ）１２１、または埋め込み型コピー制御情報（Ｅｍｂｅｄｄｅｄ  ＣＣＩ）１２２の少なくともいずれかに記録される。
図１９、図２０に情報記録媒体４０に記録されるＡＡＣＳ規定のコピー制御情報を含む利用制御情報のデータ構成例を示す。
【０１３４】
図１９は、ＡＡＣＳ２規定に従って情報記録媒体４０に記録される利用制御情報のデータ構成例である。ＡＡＣＳ２対応の情報処理装置は、この図１９に示す利用制御情報を情報記録媒体４０に記録する処理を行う。ＡＡＣＳ２対応の情報処理装置とは例えば４Ｋコンテンツ等のＵＨＤ（高画質）コンテンツの処理を行うことが可能な最新型の装置である。
【０１３５】
図１９には、以下の利用制御情報を示している。
（１）ＥＰＮ（１ビット）：コピー処理時の出力データ暗号化要否情報
（２）ＣＣＩ（２ビット）：コピー制御情報
（３）Ｓｔａｎｄａｒｄ＿Ｄｉｇｉｔａｌ＿Ｏｕｔｐｕｔ＿Ｆｌａｇ（１ビット）：デジタル出力許容規格情報
（４）Ｍｏｖｅ＿Ｎｏｔ＿Ａｌｌｏｗｅｄ（１ビット）：ムーブ処理許容情報
（５）Ｔｒｕｓｔｅｄ＿Ｓｏｕｒｃｅ＿Ｍａｒｋ＿Ｓｃｒｅｅｎｉｎｇ＿Ｒｅｑｕｉｒｅｄ（１ビット）：ソース確認処理（電子透かし（Ｗａｔｅｒｍａｒｋ）検出処理）要否情報
（６）Ｔｒｉｃｋ＿ｍｏｄｅ＿ｃｏｎｔｒｏｌ＿ｉｎｆｏ（１ビット）：トリックプレー（特殊再生）制限情報
【０１３６】
これら（１）〜（６）の利用制御情報中、（１）〜（５）は、先に図１４を参照して説明した既存のＡＡＣＳ２の利用制御情報である。（６）は、既存のＡＡＣＳ２の利用制御情報には含まれない新たに追加記録する利用制御情報である。
情報処理装置３０は、これら（１）〜（６）の利用制御情報を、先に図１６を参照して説明したように、利用制御情報ファイル（Ｕｓａｇｅ  Ｆｉｌｅ）１２１、または埋め込み型コピー制御情報（Ｅｍｂｅｄｄｅｄ  ＣＣＩ）１２２の少なくともいずれかに記録する。
【０１３７】
情報処理装置３０は、図１９に示す（１）〜（６）の利用制御情報中、（１）〜（５）については、ＣＩ＋（ＣＩ  Ｐｌｕｓ）規定の設定値をＡＡＣＳ規定の設定値に変換して情報記録媒体に記録する。（６）については、先に図１８を参照して説明したように、ＣＩ＋（ＣＩ  Ｐｌｕｓ）規定の設定値をそのまま情報記録媒体に記録する。
【０１３８】
図２０は、ＡＡＣＳ１規定に従って情報記録媒体４０に記録される利用制御情報のデータ構成例である。
ＡＡＣＳ１対応の情報処理装置は、この図２０に示す利用制御情報を情報記録媒体４０に記録する処理を行う。ＡＡＣＳ１対応の情報処理装置とは例えば４Ｋコンテンツ等のＵＨＤ（高画質）コンテンツの処理を行うことができない旧型の装置である。
【０１３９】
図２０には、以下の利用制御情報を示している。
（１）ＥＰＮ（１ビット）：コピー処理時の出力データ暗号化要否情報
（２）ＣＣＩ（２ビット）：コピー制御情報
（３）Ｍｏｖｅ＿Ｎｏｔ＿Ａｌｌｏｗｅｄ（１ビット）：ムーブ処理許容情報
（４）Ｔｒｕｓｔｅｄ＿Ｓｏｕｒｃｅ＿Ｍａｒｋ＿Ｓｃｒｅｅｎｉｎｇ＿Ｒｅｑｕｉｒｅｄ（１ビット）：ソース確認処理（電子透かし（Ｗａｔｅｒｍａｒｋ）検出処理）要否情報
（５）Ｉｍａｇｅ＿Ｃｏｎｓｔｒａｉｎｔ＿Ｔｏｋｅｎ（１ビット）：出力画像制御情報
（６）Ｄｉｇｉｔａｌ＿Ｏｎｌｙ＿Ｔｏ；ｅｎ（１ビット）：デジタル限定出力制御情報
（７）ＡＰＳＴＢ（３ビット）：アナログ出力コンテンツの保護ルール
（８）Ｔｒｉｃｋ＿ｍｏｄｅ＿ｃｏｎｔｒｏｌ＿ｉｎｆｏ（１ビット）：トリックプレー（特殊再生）制限情報
【０１４０】
これら（１）〜（８）の利用制御情報中、（１）〜（７）は、先に図１５を参照して説明した既存のＡＡＣＳ１の利用制御情報である。（８）は、既存のＡＡＣＳ１の利用制御情報には含まれない新たに追加記録する利用制御情報である。
情報処理装置３０は、これら（１）〜（８）の利用制御情報を、先に図１６を参照して説明したように、利用制御情報ファイル（Ｕｓａｇｅ  Ｆｉｌｅ）１２１、または埋め込み型コピー制御情報（Ｅｍｂｅｄｄｅｄ  ＣＣＩ）１２２の少なくともいずれかに記録する。
【０１４１】
情報処理装置３０は、図２０に示す（１）〜（８）の利用制御情報中、（１）〜（７）については、ＣＩ＋（ＣＩ  Ｐｌｕｓ）規定の設定値をＡＡＣＳ規定の設定値に変換して情報記録媒体に記録する。（８）については、先に図１８を参照して説明したように、ＣＩ＋（ＣＩ  Ｐｌｕｓ）規定の設定値をそのまま情報記録媒体に記録する。
【０１４２】
次に、情報処理装置３０が実行する利用制御情報のマッピング処理、すなわち、放送局から受信するＣＩ＋（ＣＩ  Ｐｌｕｓ）規定の設定値をＡＡＣＳ規定の設定値に変換するマッピング処理の具体例について説明する。
【０１４３】
まず、図２１を参照して、放送局から受信するＣＩ＋（ＣＩ  Ｐｌｕｓ）規定の設定値をＡＡＣＳ２規定の設定値に変換するマッピング処理の具体例について説明する。
ＡＡＣＳ２対応の情報処理装置は、図２１に示すマッピングデータを利用して、放送局から受信するＣＩ＋（ＣＩ  Ｐｌｕｓ）規定の設定値をＡＡＣＳ２規定の設定値に変換するマッピング処理を実行する。なお、図２１に示すマッピングデータは、情報処理装置３０内の記憶部に格納されている。
【０１４４】
図２１に示すマッピングデータについて説明する。
図２１には、左側に放送局から受信するＣＩ＋（ＣＩ  Ｐｌｕｓ）規定の利用制御情報、右側に情報記録媒体に記録するＡＡＣＳ２規定の利用制御情報を示している。
中間位置に示す矢印が、情報処理装置３０が実行するマッピング処理に相当する。すなわち、ＣＩ＋（ＣＩ  Ｐｌｕｓ）規定の利用制御情報の各設定値に対応するＡＡＣＳ２規定の設定値を示す矢印であり、この矢印に従ってＣＩ＋（ＣＩ  Ｐｌｕｓ）規定の利用制御情報の設定値が、ＡＡＣＳ２規定の利用制御情報の設定値に変換されて情報記録媒体４０に記録されることになる。
【０１４５】
図２１左側には、放送局から受信するＣＩ＋（ＣＩ  Ｐｌｕｓ）規定の利用制御情報として以下の各情報を示している。
（１）アナログ出力コンテンツ保護情報（ａｐｓ＿ｃｏｎｔｒｏｌ＿ｉｎｆｏ）
（２）コンテンツ暗号化制御情報（ｅｍｉ＿ｃｏｐｙ＿ｃｏｎｔｒｏｌ＿ｉｎｆｏ）
（３）出力画像制御情報（ｉｃｔ＿ｃｏｐｙ＿ｃｏｎｔｒｏｌ＿ｉｎｆｏ）
（４）コンテンツ再送信制御情報（ｒｃｔ＿ｃｏｐｙ＿ｃｏｎｔｒｏｌ＿ｉｎｆｏ）
（５）デジタル限定出力制御情報（ｄｏｔ＿ｃｏｐｙ＿ｃｏｎｔｒｏｌ＿ｉｎｆｏ）
（６）コピー保持期限制御情報（ｒｌ＿ｃｏｐｙ＿ｃｏｎｔｒｏｌ＿ｉｎｆｏ）
（７）トリックモード制御情報（ｔｒｉｃｋ＿ｍｏｄｅ＿ｃｏｎｔｒｏｌ＿ｉｎｆｏ）
【０１４６】
情報処理装置３０は、これらの利用制御情報を放送局の配信データから取得して、図２１に示すマッピングルールに従ってＡＡＣＳ２の利用制御情報に変換する。
以下、各情報の変換処理の詳細について説明する。
【０１４７】
（１）アナログ出力コンテンツ保護情報（ａｐｓ＿ｃｏｎｔｒｏｌ＿ｉｎｆｏ）
ＣＩ＋（ＣＩ  Ｐｌｕｓ）規定の（１）アナログ出力コンテンツ保護情報（ａｐｓ＿ｃｏｎｔｒｏｌ＿ｉｎｆｏ）は、アナログ出力コンテンツに関する保護情報であり、以下のアナログ出力コンテンツ保護情報が記録される。
００＝アナログ出力コンテンツ保護なし
（０１／１０／１１）＝アナログ出力コンテンツ保護あり（ビット値に応じた異なる保護態様が規定される）
【０１４８】
このＣＩ＋（ＣＩ  Ｐｌｕｓ）規定の（１）アナログ出力コンテンツ保護情報（ａｐｓ＿ｃｏｎｔｒｏｌ＿ｉｎｆｏ）に対するマッピング処理は行わない。ＡＡＣＳ２規定では、アナログ出力は全面的に禁止されており、アナログ出力データの制御情報を記録する必要がないからである。
【０１４９】
（２）コンテンツ暗号化制御情報（ｅｍｉ＿ｃｏｐｙ＿ｃｏｎｔｒｏｌ＿ｉｎｆｏ）
ＣＩ＋（ＣＩ  Ｐｌｕｓ）規定の（２）コンテンツ暗号化制御情報（ｅｍｉ＿ｃｏｐｙ＿ｃｏｎｔｒｏｌ＿ｉｎｆｏ）は、コンテンツに関する暗号化制御情報であり、ビット値（２ビット）設定に応じた以下のコンテンツに関する暗号化制御情報が記録される。
００＝コピー制限なし（Ｃｏｐｙ  Ｆｒｅｅ）、
０１＝これ以上コピー不可（Ｎｏ  Ｍｏｒｅ  Ｃｏｐｙ）、
１０＝１世代コピーのみ許可（Ｃｏｐｙ  Ｏｎｃｅ）、
１１＝コピー不可（Ｃｏｐｙ  Ｎｅｖｅｒ）、
【０１５０】
このＣＩ＋（ＣＩ  Ｐｌｕｓ）規定の（２）コンテンツ暗号化制御情報（ｅｍｉ＿ｃｏｐｙ＿ｃｏｎｔｒｏｌ＿ｉｎｆｏ）のマッピングデータは、ＡＡＣＳ２規定のＣＣＩ（コピー制御情報）である。ＡＡＣＳ２規定のＣＣＩ（コピー制御情報）は、コピー処理の許容情報であり、ビット値（２ビット）設定に応じた以下のコピー制御情報が記録される。
００＝コピー制限なし（Ｃｏｐｙ  Ｃｏｎｔｒｏｌ  Ｎｏｔ  Ａｓｓｅｒｔｅｄ）
０１＝これ以上コピー不可（Ｎｏ  Ｍｏｒｅ  Ｃｏｐｙ）
１０＝１世代のみコピー可（Ｃｏｐｙ  Ｏｎｅ  Ｇｅｎｅｒａｔｉｏｎ）
１１＝コピー不可（Ｎｅｖｅｒ  Ｃｏｐｙ）
【０１５１】
マッピング処理は、以下の設定で行う。
ＣＩ＋（ＣＩ  Ｐｌｕｓ）規定のコンテンツ暗号化制御情報の設定値、
００＝コピー制限なし、
この設定値は、
ＡＡＣＳ２規定のＣＣＩ（コピー制御情報）の以下の設定値にマッピングする。
００＝コピー制限なし（Ｃｏｐｙ  Ｃｏｎｔｒｏｌ  Ｎｏｔ  Ａｓｓｅｒｔｅｄ）
【０１５２】
また、ＣＩ＋（ＣＩ  Ｐｌｕｓ）規定のコンテンツ暗号化制御情報の設定値、
０１＝これ以上コピー不可
１０＝１世代コピーのみ許可、
１１＝コピー不可
これらの設定値は、
ＡＡＣＳ２規定のＣＣＩ（コピー制御情報）の以下の設定値にマッピングする。
０１＝これ以上コピー不可（Ｎｏ  Ｍｏｒｅ  Ｃｏｐｙ）
なお、ＣＩ＋（ＣＩ  Ｐｌｕｓ）規定の設定値「１０＝１世代コピーのみ許可」は、情報記録媒体に対するコンテンツ記録により、１回のコピーが完了したとみなされる。
【０１５３】
（３）出力画像制御情報（ｉｃｔ＿ｃｏｐｙ＿ｃｏｎｔｒｏｌ＿ｉｎｆｏ）
ＣＩ＋（ＣＩ  Ｐｌｕｓ）規定の（３）出力画像制御情報（ｉｃｔ＿ｃｏｐｙ＿ｃｏｎｔｒｏｌ＿ｉｎｆｏ）は、出力画像に関する制御情報である。アナログ出力時の解像度制限に関するルールが規定され、以下のアナログ出力時の解像度制限に関するルールが記録される。
０＝出力画像制限なし、
１＝出力画像制限（解像度制限）あり
【０１５４】
このＣＩ＋（ＣＩ  Ｐｌｕｓ）規定の（３）出力画像制御情報（ｉｃｔ＿ｃｏｐｙ＿ｃｏｎｔｒｏｌ＿ｉｎｆｏ）に対するマッピング処理は行わない。ＡＡＣＳ２規定では、アナログ出力は全面的に禁止されており、アナログ出力データの制御情報を記録する必要がないからである。
【０１５５】
（４）コンテンツ再送信制御情報（ｒｃｔ＿ｃｏｐｙ＿ｃｏｎｔｒｏｌ＿ｉｎｆｏ）
ＣＩ＋（ＣＩ  Ｐｌｕｓ）規定の（４）コンテンツ再送信制御情報（ｒｃｔ＿ｃｏｐｙ＿ｃｏｎｔｒｏｌ＿ｉｎｆｏ）は、コピーフリーコンテンツの再送信制限有無情報であり、上記（２）暗号化モード情報（ｅｍｉ＿ｃｏｐｙ＿ｃｏｎｔｒｏｌ＿ｉｎｆｏ）＝００（コピー制限なし）の場合に適用される。ビット値（１ビット）設定に応じた以下のコピーフリーコンテンツの再送信制限有無情報が記録される。
０＝コンテンツ再送信制限なし、
１＝コンテンツ再送信制限あり
【０１５６】
このＣＩ＋（ＣＩ  Ｐｌｕｓ）規定の（４）コンテンツ再送信制御情報（ｒｃｔ＿ｃｏｐｙ＿ｃｏｎｔｒｏｌ＿ｉｎｆｏ）のマッピングデータは、ＡＡＣＳ２規定のＥＰＮ（出力データ暗号化要否情報）である。ＡＡＣＳ２規定のＥＰＮ（出力データ暗号化要否情報）は、ビット値（１ビット）設定に応じた以下の出力データ暗号化要否情報が記録される。
０＝コピー出力データの暗号化必要（ＥＰＮ−ａｓｓｅｒｔｅｄ）
１＝コピー出力データの暗号化不要（ＥＰＮ−ｕｎａｓｓｅｒｔｅｄ）
【０１５７】
マッピング処理は、以下の設定で行う。
ＣＩ＋（ＣＩ  Ｐｌｕｓ）規定のコンテンツ再送信制御情報（ｒｃｔ＿ｃｏｐｙ＿ｃｏｎｔｒｏｌ＿ｉｎｆｏ）の設定値、
０＝コンテンツ再送信制限なし、
この設定値は、
ＡＡＣＳ２規定のＥＰＮ（出力データ暗号化要否情報）の以下の設定値にマッピングする。
１＝コピー出力データの暗号化不要（ＥＰＮ−ｕｎａｓｓｅｒｔｅｄ）（＝再送信制限なし）
【０１５８】
また、ＣＩ＋（ＣＩ  Ｐｌｕｓ）規定のコンテンツ再送信制御情報（ｒｃｔ＿ｃｏｐｙ＿ｃｏｎｔｒｏｌ＿ｉｎｆｏ）の設定値、
１＝コンテンツ再送信制限あり
この設定値は、
ＡＡＣＳ２規定のＥＰＮ（出力データ暗号化要否情報）の以下の設定値にマッピングする。
０＝コピー出力データの暗号化必要（ＥＰＮ−ａｓｓｅｒｔｅｄ）（＝再送信制限あり）
【０１５９】
（５）デジタル限定出力制御情報（ｄｏｔ＿ｃｏｐｙ＿ｃｏｎｔｒｏｌ＿ｉｎｆｏ）
ＣＩ＋（ＣＩ  Ｐｌｕｓ）規定のデジタル限定出力制御情報（ｄｏｔ＿ｃｏｐｙ＿ｃｏｎｔｒｏｌ＿ｉｎｆｏ）は、アナログ出力を禁止するか否かを示すフラグである。
この制御情報に対するマッピング処理は行わない。ＡＡＣＳ２規定では、アナログ出力は全面的に禁止されており、アナログ出力データの制御情報を記録する必要がないからである。
【０１６０】
（６）コピー保持期限制御情報（ｒｌ＿ｃｏｐｙ＿ｃｏｎｔｒｏｌ＿ｉｎｆｏ）
ＣＩ＋（ＣＩ  Ｐｌｕｓ）規定の（６）コピー保持期限制御情報（ｒｌ＿ｃｏｐｙ＿ｃｏｎｔｒｏｌ＿ｉｎｆｏ）は、前述したように、数時間程度の記録データの保持、再生を許容するか否かを示す制御値である。例えばＴＶに一体化されたＨＤＤ等のメディアに一時的に記録する場合に、ＴＶがＣＩ＋（ＣＩ  Ｐｌｕｓ）規定に従った処理を実行して、規定時間内の再生が実行されなかった場合に再生を禁止する処置が行われる。
【０１６１】
従って、この（６）コピー保持期限制御情報（ｒｌ＿ｃｏｐｙ＿ｃｏｎｔｒｏｌ＿ｉｎｆｏ）は、長期的なコピーデータの利用制御には使用する必要のないデータであると考えられ、ＡＡＣＳ規定のコピー制御情報に対するマッピングは行わない。
【０１６２】
（７）トリックモード制御情報（ｔｒｉｃｋ＿ｍｏｄｅ＿ｃｏｎｔｒｏｌ＿ｉｎｆｏ）
ＣＩ＋（ＣＩ  Ｐｌｕｓ）規定の（７）トリックモード制御情報（ｔｒｉｃｋ＿ｍｏｄｅ＿ｃｏｎｔｒｏｌ＿ｉｎｆｏ）は、コンテンツの特殊再生（トリックプレー）、例えば早送り再生、スロー再生、スキップ再生等の特殊再生の再生制限情報として以下のビット値が記録される。
０＝トリックモード再生（特殊再生）制限なし
１＝トリックモード再生（特殊再生）制限あり
【０１６３】
先に図１８を参照して説明したように、この制御情報はＡＡＣＳ規定の利用制御情報には存在しないが、コピーデータの利用制御に際しても必要な制御情報であると推定される。従って、放送局から放送番組を受信して、情報記録媒体（メディア）にデータを記録する情報処理装置３０は、放送データをＢＤやＨＤＤ等の情報記録媒体（メディア）に記録する場合、この（７）トリックモード制御情報（ｔｒｉｃｋ＿ｍｏｄｅ＿ｃｏｎｔｒｏｌ＿ｉｎｆｏ）に対応する制御情報を、既存のＡＡＣＳ規定の制御情報に追加して記録する。
【０１６４】
マッピング処理は、ＣＩ＋（ＣＩ  Ｐｌｕｓ）規定のトリックモード制御情報（ｔｒｉｃｋ＿ｍｏｄｅ＿ｃｏｎｔｒｏｌ＿ｉｎｆｏ）の設定値、
０＝トリックモード再生（特殊再生）制限なし
１＝トリックモード再生（特殊再生）制限あり
これら、いずれかの設定値を、
ＡＡＣＳ２規定の利用制御情報に対する追加制御情報としてそのまま記録する。すなわち、
０＝トリックモード再生（特殊再生）制限なし
１＝トリックモード再生（特殊再生）制限あり
これらの設定値のいずれかを情報記録媒体に記録する。
【０１６５】
ＡＡＣＳ２対応の情報処理装置は、この図２１に示すマッピングデータを利用して、放送局から受信するＣＩ＋（ＣＩ  Ｐｌｕｓ）規定の設定値をＡＡＣＳ２規定の設定値に変換するマッピング処理を実行し、ＡＡＣＳ２規定の利用制御情報として情報情報記録媒体に記録する。この処理により、情報記録媒体に記録されたコンテンツの再生、コピー等の利用処理を実効する情報処理装置は、情報記録媒体に記録されたＡＡＣＳ２規定の利用制御情報を参照して、元の放送コンテンツに対応して設定されたＣＩ＋（ＣＩ  Ｐｌｕｓ）規定の利用制御情報を継承した利用制御を行うことが可能となる。
【０１６６】
次に、図２２、図２３を参照して、放送局から受信するＣＩ＋（ＣＩ  Ｐｌｕｓ）規定の設定値をＡＡＣＳ１規定の設定値に変換するマッピング処理の具体例について説明する。
ＡＡＣＳ１対応の情報処理装置は、図２２、図２３に示すマッピングデータを利用して、放送局から受信するＣＩ＋（ＣＩ  Ｐｌｕｓ）規定の設定値をＡＡＣＳ１規定の設定値に変換するマッピング処理を実行する。なお、図２２、図２３に示すマッピングデータは、情報処理装置３０内の記憶部に格納されている。
【０１６７】
図２２、図２３には、左側に放送局から受信するＣＩ＋（ＣＩ  Ｐｌｕｓ）規定の利用制御情報、右側に情報記録媒体に記録するＡＡＣＳ１規定の利用制御情報を示している。
中間位置に示す矢印が、情報処理装置３０が実行するマッピング処理に相当する。すなわち、ＣＩ＋（ＣＩ  Ｐｌｕｓ）規定の利用制御情報の各設定値に対応するＡＡＣＳ１規定の設定値を示す矢印であり、この矢印に従ってＣＩ＋（ＣＩ  Ｐｌｕｓ）規定の利用制御情報の設定値が、ＡＡＣＳ１規定の利用制御情報の設定値に変換されて情報記録媒体４０に記録されることになる。
【０１６８】
図２２、図２３左側には、放送局から受信するＣＩ＋（ＣＩ  Ｐｌｕｓ）規定の利用制御情報として以下の各情報を示している。
（１）アナログ出力コンテンツ保護情報（ａｐｓ＿ｃｏｎｔｒｏｌ＿ｉｎｆｏ）
（２）コンテンツ暗号化制御情報（ｅｍｉ＿ｃｏｐｙ＿ｃｏｎｔｒｏｌ＿ｉｎｆｏ）
（３）出力画像制御情報（ｉｃｔ＿ｃｏｐｙ＿ｃｏｎｔｒｏｌ＿ｉｎｆｏ）
（４）コンテンツ再送信制御情報（ｒｃｔ＿ｃｏｐｙ＿ｃｏｎｔｒｏｌ＿ｉｎｆｏ）
（５）デジタル限定出力制御情報（ｄｏｔ＿ｃｏｐｙ＿ｃｏｎｔｒｏｌ＿ｉｎｆｏ）
（６）コピー保持期限制御情報（ｒｌ＿ｃｏｐｙ＿ｃｏｎｔｒｏｌ＿ｉｎｆｏ）
（７）トリックモード制御情報（ｔｒｉｃｋ＿ｍｏｄｅ＿ｃｏｎｔｒｏｌ＿ｉｎｆｏ）
【０１６９】
情報処理装置３０は、これらの利用制御情報を放送局の配信データから取得して、図２２、図２３に示すマッピングルールに従ってＡＡＣＳ１の利用制御情報に変換する。
以下、各情報の変換処理の詳細について説明する。
【０１７０】
（１）アナログ出力コンテンツ保護情報（ａｐｓ＿ｃｏｎｔｒｏｌ＿ｉｎｆｏ）
ＣＩ＋（ＣＩ  Ｐｌｕｓ）規定の（１）アナログ出力コンテンツ保護情報（ａｐｓ＿ｃｏｎｔｒｏｌ＿ｉｎｆｏ）は、アナログ出力コンテンツに関する保護情報であり、以下のアナログ出力コンテンツ保護情報が記録される。
００＝アナログ出力コンテンツ保護なし
０１＝アナログ出力コンテンツ保護あり（スプリットバーストオフ設定下でＡＧＣ処理を実行）
１０＝アナログ出力コンテンツ保護あり（２ラインスプリットバーストオン設定下でＡＧＣ処理を実行）
０１＝アナログ出力コンテンツ保護あり（４ラインスプリットバーストオン設定下でＡＧＣ処理を実行）
【０１７１】
このＣＩ＋（ＣＩ  Ｐｌｕｓ）規定の（１）アナログ出力コンテンツ保護情報（ａｐｓ＿ｃｏｎｔｒｏｌ＿ｉｎｆｏ）のマッピングデータは、ＡＡＣＳ１規定のＡＰＳＴＢ（アナログ出力コンテンツ保護ルール）である。ＡＡＣＳ１規定のＡＰＳＴＢ（アナログ出力コンテンツ保護ルール）には、以下の設定値のいずれかが記録される。
０００＝アナログ出力コンテンツの保護なし
００１＝ＡＰＳ１（Ａｎａｌｏｇ  Ｐｒｏｔｅｃｔｉｏｎ  Ｓｙｓｔｅｍ  １）ｏｎ：ｔｙｐｅ１（ＡＧＣ）
０１０＝ＡＰＳ１（Ａｎａｌｏｇ  Ｐｒｏｔｅｃｔｉｏｎ  Ｓｙｓｔｅｍ  １）ｏｎ：ｔｙｐｅ２（ＡＧＣ＋２Ｌ  ｃｏｌｏｕｒ  ｓｔｒｉｐｅ）
０１１＝ＡＰＳ１（Ａｎａｌｏｇ  Ｐｒｏｔｅｃｔｉｏｎ  Ｓｙｓｔｅｍ  １）ｏｎ：ｔｙｐｅ３（ＡＧＣ＋４Ｌ  ｃｏｌｏｕｒ  ｓｔｒｉｐｅ）
【０１７２】
マッピング処理は、以下の設定で行う。
ＣＩ＋（ＣＩ  Ｐｌｕｓ）規定のアナログ出力コンテンツ保護情報（ａｐｓ＿ｃｏｎｔｒｏｌ＿ｉｎｆｏ）の設定値、
００＝アナログ出力コンテンツ保護なし
この設定値は、
ＡＡＣＳ１規定のＡＰＳＴＢ（アナログ出力コンテンツ保護ルール）の以下の設定値にマッピングする。
０００＝アナログ出力コンテンツの保護なし
【０１７３】
さらに、ＣＩ＋（ＣＩ  Ｐｌｕｓ）規定のアナログ出力コンテンツ保護情報（ａｐｓ＿ｃｏｎｔｒｏｌ＿ｉｎｆｏ）の設定値、
０１＝アナログ出力コンテンツ保護あり（スプリットバーストオフ設定下でＡＧＣ処理を実行）
１０＝アナログ出力コンテンツ保護あり（２ラインスプリットバーストオン設定下でＡＧＣ処理を実行）
０１＝アナログ出力コンテンツ保護あり（４ラインスプリットバーストオン設定下でＡＧＣ処理を実行）
これらは、それぞれ、ＡＡＣＳ１規定のＡＰＳＴＢ（アナログ出力コンテンツ保護ルール）の以下の設定値にマッピングする。
００１＝ＡＰＳ１（Ａｎａｌｏｇ  Ｐｒｏｔｅｃｔｉｏｎ  Ｓｙｓｔｅｍ  １）ｏｎ：ｔｙｐｅ１（ＡＧＣ）
０１０＝ＡＰＳ１（Ａｎａｌｏｇ  Ｐｒｏｔｅｃｔｉｏｎ  Ｓｙｓｔｅｍ  １）ｏｎ：ｔｙｐｅ２（ＡＧＣ＋２Ｌ  ｃｏｌｏｕｒ  ｓｔｒｉｐｅ）
０１１＝ＡＰＳ１（Ａｎａｌｏｇ  Ｐｒｏｔｅｃｔｉｏｎ  Ｓｙｓｔｅｍ  １）ｏｎ：ｔｙｐｅ３（ＡＧＣ＋４Ｌ  ｃｏｌｏｕｒ  ｓｔｒｉｐｅ）
【０１７４】
（２）コンテンツ暗号化制御情報（ｅｍｉ＿ｃｏｐｙ＿ｃｏｎｔｒｏｌ＿ｉｎｆｏ）
ＣＩ＋（ＣＩ  Ｐｌｕｓ）規定の（２）コンテンツ暗号化制御情報（ｅｍｉ＿ｃｏｐｙ＿ｃｏｎｔｒｏｌ＿ｉｎｆｏ）は、コンテンツに関する暗号化制御情報であり、ビット値（２ビット）設定に応じた以下のコンテンツに関する暗号化制御情報が記録される。
００＝コピー制限なし（Ｃｏｐｙ  Ｆｒｅｅ）、
０１＝これ以上コピー不可（Ｎｏ  Ｍｏｒｅ  Ｃｏｐｙ）、
１０＝１世代コピーのみ許可（Ｃｏｐｙ  Ｏｎｃｅ）、
１１＝コピー不可（Ｃｏｐｙ  Ｎｅｖｅｒ）、
【０１７５】
このＣＩ＋（ＣＩ  Ｐｌｕｓ）規定の（２）コンテンツ暗号化制御情報（ｅｍｉ＿ｃｏｐｙ＿ｃｏｎｔｒｏｌ＿ｉｎｆｏ）のマッピングデータは、ＡＡＣＳ１規定のＣＣＩ（コピー制御情報）である。ＡＡＣＳ１規定のＣＣＩ（コピー制御情報）は、コピー処理の許容情報であり、ビット値（２ビット）設定に応じた以下のコピー制御情報が記録される。
００＝コピー制限なし（Ｃｏｐｙ  Ｃｏｎｔｒｏｌ  Ｎｏｔ  Ａｓｓｅｒｔｅｄ）
０１＝これ以上コピー不可（Ｎｏ  Ｍｏｒｅ  Ｃｏｐｙ）
１０＝１世代のみコピー可（Ｃｏｐｙ  Ｏｎｅ  Ｇｅｎｅｒａｔｉｏｎ）
１１＝コピー不可（Ｎｅｖｅｒ  Ｃｏｐｙ）
【０１７６】
マッピング処理は、以下の設定で行う。
ＣＩ＋（ＣＩ  Ｐｌｕｓ）規定のコンテンツ暗号化制御情報の設定値、
００＝コピー制限なし、
この設定値は、
ＡＡＣＳ２規定のＣＣＩ（コピー制御情報）の以下の設定値にマッピングする。
００＝コピー制限なし（Ｃｏｐｙ  Ｃｏｎｔｒｏｌ  Ｎｏｔ  Ａｓｓｅｒｔｅｄ）
【０１７７】
また、ＣＩ＋（ＣＩ  Ｐｌｕｓ）規定のコンテンツ暗号化制御情報の設定値、
０１＝これ以上コピー不可
１０＝１世代コピーのみ許可、
１１＝コピー不可
これらの設定値は、
ＡＡＣＳ２規定のＣＣＩ（コピー制御情報）の以下の設定値にマッピングする。
０１＝これ以上コピー不可（Ｎｏ  Ｍｏｒｅ  Ｃｏｐｙ）
なお、ＣＩ＋（ＣＩ  Ｐｌｕｓ）規定の設定値「１０＝１世代コピーのみ許可」は、情報記録媒体に対するコンテンツ記録により、１回のコピーが完了したとみなされる。
【０１７８】
（３）出力画像制御情報（ｉｃｔ＿ｃｏｐｙ＿ｃｏｎｔｒｏｌ＿ｉｎｆｏ）
ＣＩ＋（ＣＩ  Ｐｌｕｓ）規定の（３）出力画像制御情報（ｉｃｔ＿ｃｏｐｙ＿ｃｏｎｔｒｏｌ＿ｉｎｆｏ）は、出力画像に関する制御情報である。アナログ出力時の解像度制限に関するルールが規定され、以下のアナログ出力時の解像度制限に関するルールが記録される。
０＝出力画像制限なし、
１＝出力画像制限（解像度制限）あり
【０１７９】
このＣＩ＋（ＣＩ  Ｐｌｕｓ）規定の（３）出力画像制御情報（ｉｃｔ＿ｃｏｐｙ＿ｃｏｎｔｒｏｌ＿ｉｎｆｏ）のマッピングデータは、ＡＡＣＳ１規定のＩｍａｇｅ＿Ｃｏｎｓｔｒａｉｎｔ＿Ｔｏｋｅ（出力画像制御情報）である。ＡＡＣＳ１規定のＩｍａｇｅ＿Ｃｏｎｓｔｒａｉｎｔ＿Ｔｏｋｅ（出力画像制御情報）は、アナログ出力時の解像度制限に関するルールが記録される。ビット値（１ビット）設定に応じた以下の出力画像制御情報が記録可能である。
０＝出力画像制限（解像度制限）あり、
１＝出力画像制限（解像度制限）なし、
【０１８０】
マッピング処理は、以下の設定で行う。
ＣＩ＋（ＣＩ  Ｐｌｕｓ）規定の出力画像制御情報（ｉｃｔ＿ｃｏｐｙ＿ｃｏｎｔｒｏｌ＿ｉｎｆｏ）の設定値、
０＝出力画像制限なし、
この設定値は、
ＡＡＣＳ１規定のＩｍａｇｅ＿Ｃｏｎｓｔｒａｉｎｔ＿Ｔｏｋｅ（出力画像制御情報）の以下の設定値にマッピングする。
１＝出力画像制限（解像度制限）なし、
【０１８１】
また、ＣＩ＋（ＣＩ  Ｐｌｕｓ）規定の出力画像制御情報（ｉｃｔ＿ｃｏｐｙ＿ｃｏｎｔｒｏｌ＿ｉｎｆｏ）の設定値、
１＝出力画像制限（解像度制限）あり
この設定値は、
ＡＡＣＳ１規定のＩｍａｇｅ＿Ｃｏｎｓｔｒａｉｎｔ＿Ｔｏｋｅ（出力画像制御情報）の以下の設定値にマッピングする。
０＝出力画像制限（解像度制限）あり、
【０１８２】
（４）コンテンツ再送信制御情報（ｒｃｔ＿ｃｏｐｙ＿ｃｏｎｔｒｏｌ＿ｉｎｆｏ）
ＣＩ＋（ＣＩ  Ｐｌｕｓ）規定の（４）コンテンツ再送信制御情報（ｒｃｔ＿ｃｏｐｙ＿ｃｏｎｔｒｏｌ＿ｉｎｆｏ）は、コピーフリーコンテンツの再送信制限有無情報であり、上記（２）暗号化モード情報（ｅｍｉ＿ｃｏｐｙ＿ｃｏｎｔｒｏｌ＿ｉｎｆｏ）＝００（コピー制限なし）の場合に適用される。ビット値（１ビット）設定に応じた以下のコピーフリーコンテンツの再送信制限有無情報が記録される。
０＝コンテンツ再送信制限なし、
１＝コンテンツ再送信制限あり
【０１８３】
このＣＩ＋（ＣＩ  Ｐｌｕｓ）規定の（４）コンテンツ再送信制御情報（ｒｃｔ＿ｃｏｐｙ＿ｃｏｎｔｒｏｌ＿ｉｎｆｏ）のマッピングデータは、ＡＡＣＳ１規定のＥＰＮ（出力データ暗号化要否情報）である。ＡＡＣＳ１規定のＥＰＮ（出力データ暗号化要否情報）は、ビット値（１ビット）設定に応じた以下の出力データ暗号化要否情報が記録される。
０＝コピー出力データの暗号化必要（ＥＰＮ−ａｓｓｅｒｔｅｄ）
１＝コピー出力データの暗号化不要（ＥＰＮ−ｕｎａｓｓｅｒｔｅｄ）
【０１８４】
マッピング処理は、以下の設定で行う。
ＣＩ＋（ＣＩ  Ｐｌｕｓ）規定のコンテンツ再送信制御情報（ｒｃｔ＿ｃｏｐｙ＿ｃｏｎｔｒｏｌ＿ｉｎｆｏ）の設定値、
０＝コンテンツ再送信制限なし、
この設定値は、
ＡＡＣＳ１規定のＥＰＮ（出力データ暗号化要否情報）の以下の設定値にマッピングする。
１＝コピー出力データの暗号化不要（ＥＰＮ−ｕｎａｓｓｅｒｔｅｄ）（＝再送信制限なし）
【０１８５】
また、ＣＩ＋（ＣＩ  Ｐｌｕｓ）規定のコンテンツ再送信制御情報（ｒｃｔ＿ｃｏｐｙ＿ｃｏｎｔｒｏｌ＿ｉｎｆｏ）の設定値、
１＝コンテンツ再送信制限あり
この設定値は、
ＡＡＣＳ１規定のＥＰＮ（出力データ暗号化要否情報）の以下の設定値にマッピングする。
０＝コピー出力データの暗号化必要（ＥＰＮ−ａｓｓｅｒｔｅｄ）（＝再送信制限あり）
【０１８６】
（５）デジタル限定出力制御情報（ｄｏｔ＿ｃｏｐｙ＿ｃｏｎｔｒｏｌ＿ｉｎｆｏ）
ＣＩ＋（ＣＩ  Ｐｌｕｓ）規定のデジタル限定出力制御情報（ｄｏｔ＿ｃｏｐｙ＿ｃｏｎｔｒｏｌ＿ｉｎｆｏ）は、アナログ出力を禁止するか否かを示すフラグである。以下のデジタル限定出力制限情報が記録可能である。
０＝出力データをデジタルデータのみに制限しない（アナログ出力可）
１＝出力データをデジタルデータのみに制限（アナログ出力禁止）
【０１８７】
このＣＩ＋（ＣＩ  Ｐｌｕｓ）規定の（５）デジタル限定出力制御情報（ｄｏｔ＿ｃｏｐｙ＿ｃｏｎｔｒｏｌ＿ｉｎｆｏ）のマッピングデータは、ＡＡＣＳ１規定のＤｉｇｉｔａｌ＿Ｏｎｌｙ＿Ｔｏｋｅｎ（デジタル限定出力制御情報）である。ＡＡＣＳ１規定のＤｉｇｉｔａｌ＿Ｏｎｌｙ＿Ｔｏｋｅｎ（デジタル限定出力制御情報）には、アナログ出力を禁止するか否かの以下の情報が記録される。
０＝出力データをデジタルデータのみに制限しない（アナログ出力可）、
１＝出力データをデジタルデータのみに制限する（アナログ出力禁止）、
【０１８８】
マッピング処理は、以下の設定で行う。
ＣＩ＋（ＣＩ  Ｐｌｕｓ）規定のデジタル限定出力制御情報（ｄｏｔ＿ｃｏｐｙ＿ｃｏｎｔｒｏｌ＿ｉｎｆｏ）の設定値、
０＝出力データをデジタルデータのみに制限しない（アナログ出力可）
この設定値は、
ＡＡＣＳ１規定のＤｉｇｉｔａｌ＿Ｏｎｌｙ＿Ｔｏｋｅｎ（デジタル限定出力制御情報）の以下の設定値にマッピングする。
０＝出力データをデジタルデータのみに制限しない（アナログ出力可）、
【０１８９】
また、ＣＩ＋（ＣＩ  Ｐｌｕｓ）規定のデジタル限定出力制御情報（ｄｏｔ＿ｃｏｐｙ＿ｃｏｎｔｒｏｌ＿ｉｎｆｏ）の設定値、
１＝出力データをデジタルデータのみに制限（アナログ出力禁止）
この設定値は、
ＡＡＣＳ１規定のＤｉｇｉｔａｌ＿Ｏｎｌｙ＿Ｔｏｋｅｎ（デジタル限定出力制御情報）の以下の設定値にマッピングする。
１＝出力データをデジタルデータのみに制限する（アナログ出力禁止）、
【０１９０】
（６）コピー保持期限制御情報（ｒｌ＿ｃｏｐｙ＿ｃｏｎｔｒｏｌ＿ｉｎｆｏ）
ＣＩ＋（ＣＩ  Ｐｌｕｓ）規定の（６）コピー保持期限制御情報（ｒｌ＿ｃｏｐｙ＿ｃｏｎｔｒｏｌ＿ｉｎｆｏ）は、前述したように、数時間程度の記録データの保持、再生を許容するか否かを示す制御値である。例えばＴＶに一体化されたＨＤＤ等のメディアに一時的に記録する場合に、ＴＶがＣＩ＋（ＣＩ  Ｐｌｕｓ）規定に従った処理を実行して、規定時間内の再生が実行されなかった場合に再生を禁止する処置が行われる。
【０１９１】
従って、この（６）コピー保持期限制御情報（ｒｌ＿ｃｏｐｙ＿ｃｏｎｔｒｏｌ＿ｉｎｆｏ）は、長期的なコピーデータの利用制御には使用する必要のないデータであると考えられ、ＡＡＣＳ規定のコピー制御情報に対するマッピングは行わない。
【０１９２】
（７）トリックモード制御情報（ｔｒｉｃｋ＿ｍｏｄｅ＿ｃｏｎｔｒｏｌ＿ｉｎｆｏ）
ＣＩ＋（ＣＩ  Ｐｌｕｓ）規定の（７）トリックモード制御情報（ｔｒｉｃｋ＿ｍｏｄｅ＿ｃｏｎｔｒｏｌ＿ｉｎｆｏ）は、コンテンツの特殊再生（トリックプレー）、例えば早送り再生、スロー再生、スキップ再生等の特殊再生の再生制限情報として以下のビット値が記録される。
０＝トリックモード再生（特殊再生）制限なし
１＝トリックモード再生（特殊再生）制限あり
【０１９３】
先に図１８を参照して説明したように、この制御情報はＡＡＣＳ規定の利用制御情報には存在しないが、コピーデータの利用制御に際しても必要な制御情報であると推定される。従って、放送局から放送番組を受信して、情報記録媒体（メディア）にデータを記録する情報処理装置３０は、放送データをＢＤやＨＤＤ等の情報記録媒体（メディア）に記録する場合、この（７）トリックモード制御情報（ｔｒｉｃｋ＿ｍｏｄｅ＿ｃｏｎｔｒｏｌ＿ｉｎｆｏ）に対応する制御情報を、既存のＡＡＣＳ規定の制御情報に追加して記録する。
【０１９４】
マッピング処理は、ＣＩ＋（ＣＩ  Ｐｌｕｓ）規定のトリックモード制御情報（ｔｒｉｃｋ＿ｍｏｄｅ＿ｃｏｎｔｒｏｌ＿ｉｎｆｏ）の設定値、
０＝トリックモード再生（特殊再生）制限なし
１＝トリックモード再生（特殊再生）制限あり
これら、いずれかの設定値を、
ＡＡＣＳ１規定の利用制御情報に対する追加制御情報としてそのまま記録する。すなわち、
０＝トリックモード再生（特殊再生）制限なし
１＝トリックモード再生（特殊再生）制限あり
これらの設定値のいずれかを情報記録媒体に記録する。
【０１９５】
ＡＡＣＳ１対応の情報処理装置は、図２２、図２３に示すマッピングデータを利用して、放送局から受信するＣＩ＋（ＣＩ  Ｐｌｕｓ）規定の設定値をＡＡＣＳ２規定の設定値に変換するマッピング処理を実行し、ＡＡＣＳ１規定の利用制御情報として情報情報記録媒体に記録する。この処理により、情報記録媒体に記録されたコンテンツの再生、コピー等の利用処理を実効する情報処理装置は、情報記録媒体に記録されたＡＡＣＳ１規定の利用制御情報を参照して、元の放送コンテンツに対応して設定されたＣＩ＋（ＣＩ  Ｐｌｕｓ）規定の利用制御情報を継承した利用制御を行うことが可能となる。
【０１９６】
［６．埋め込み型コピー制御情報の記録構成例について］
先に、図１６〜図２０を参照して説明したように、情報処理装置３０は、放送コンテンツに併せて受信したＣＩ＋（ＣＩ  Ｐｌｕｓ）規定等の利用制御情報を、ＡＡＣＳ規定の利用制御情報に変換して情報記録媒体（メディア）４０に記録する場合、ＡＡＣＳ規定の利用制御情報ファイル（Ｕｓａｇｅ  Ｆｉｌｅ）１２１、または埋め込み型コピー制御情報（Ｅｍｂｅｄｄｅｄ  ＣＣＩ）１２２の少なくともいずれに記録する。
【０１９７】
利用制御情報ファイル（Ｕｓａｇｅ  Ｆｉｌｅ）１２１に記録する場合、放送コンテンツに併せて受信したＣＩ＋（ＣＩ  Ｐｌｕｓ）規定等の利用制御情報を図２１〜図２３を参照して説明したマッピング処理によってＡＡＣＳ規定の制御情報を生成して、生成データを記録した利用制御情報ファイル（Ｕｓａｇｅ  Ｆｉｌｅ）１２１を生成して記録すればよい。
【０１９８】
一方、図２１〜図２３を参照して説明したマッピング処理によって生成したＡＡＣＳ規定の制御情報を埋め込み型コピー制御情報（Ｅｍｂｅｄｄｅｄ  ＣＣＩ）１２２に記録する場合は、クリップＡＶストリームファイルを構成するＴＳパケット内に格納されるＰＭＴ（Ｐｒｏｇｒａｍ  Ｍａｐ  Ｔａｂｌｅ（プログラムマップテーブル））にマッピング処理によって生成したＡＡＣＳ規定の制御情報を記録する。
図２４以下を参照して、埋め込み型コピー制御情報（Ｅｍｂｅｄｄｅｄ  ＣＣＩ）１２２の制御情報記録構成例について説明する。
【０１９９】
埋め込み型コピー制御情報（Ｅｍｂｅｄｄｅｄ  ＣＣＩ）１２２の記録先となるプログラムマップテーブル（ＰＭＴ）は、ＴＳパケットに格納され、再生対象データである画像、音声、字幕等のデータを格納したＴＳパケットとともに、ＢＤＡＶフォーマットにおいて規定されるクリップＡＶストリームファイルに格納される。
【０２００】
図２４を参照して、ＭＰＥＧ−２ＴＳフォーマットにおいて規定されるプログラムマップテーブル（ＰＭＴ）について説明する。
図２４は、プログラムマップテーブル（ＰＭＴ）のデータ構成（シンタクス：Ｓｙｎｔａｘ）を示す図である。
なお、図２４に示すように、プログラムマップテーブル（ＰＭＴ）は、クリップＡＶストリームファイルの構成パケットであるＴＳパケットに格納される。
【０２０１】
プログラムマップテーブル（ＰＭＴ）の記述子（ｄｅｓｃｒｉｐｔｏｒ）の１つとして、コピー状態記述子（ｃｏｐｙ＿ｓｔａｔｕｓ＿ｄｅｓｃｒｉｐｔｏｒ）２０１が記録される。
【０２０２】
図２５は、コピー状態記述子（ｃｏｐｙ＿ｓｔａｔｕｓ＿ｄｅｓｃｒｉｐｔｏｒ）２０１のデータ構成（シンタクス：Ｓｙｎｔａｘ）を示している。
コピー状態記述子（ｃｏｐｙ＿ｓｔａｔｕｓ＿ｄｅｓｃｒｉｐｔｏｒ）には、以下の各データが含まれる。
記述子タグ（ｄｅｓｃｒｉｐｔｏｒ＿ｔａｇ）＝記述子識別子
記述子長（ｄｅｓｃｒｉｐｔｏｒ＿ｌｅｎｇｔｈ）＝記述子バイト数
ＣＡシステムＩＤ（ＣＡ＿Ｓｙｓｔｅｍ＿ＩＤ）＝適用対象を示す識別子
プライベートデータバイト（ｐｒｉｖａｔｅ＿ｄａｔａ＿ｂｙｔｅ）＝プライベートデータ記録領域
【０２０３】
上記の各データ中、プライベートデータバイト（ｐｒｉｖａｔｅ＿ｄａｔａ＿ｂｙｔｅ）＝プライベートデータ記録領域は、様々なデータを記録することが許容された領域である。
このプライベートデータ記録領域に、放送波等によって受信する利用制御情報、例えばＣＩ＋（ＣＩ  Ｐｌｕｓ）規定の利用制御情報に基づくマッピング処理によって生成したＡＡＣＳ規定のコピー制御情報を含む利用制御情報を記録する。
【０２０４】
プライベートデータ記録領域のデータ構成例について、図２６以下を参照して説明する。
プライベートデータ記録領域には、図２６に示すように、以下のデータが記録される。
トリックモード制御情報（Ｔｒｉｃｋ＿Ｍｏｄｅ＿Ｃｏｎｔｒｏｌ）
リテンションムーブモード（Ｒｅｔｅｎｔｉｏｎ＿Ｍｏｖｅ＿Ｍｏｄｅ）
リテンションステート（Ｒｅｔｅｎｔｉｏｎ＿Ｓｔａｔｅ）
ＥＰＮ＝コピー出力データ暗号化要否情報
ＣＣＩ＝コピー制御情報
なお、これらのデータは、例えば番組単位等、所定のコンテンツ区分ごとに記録可能である。
【０２０５】
これらのデータ中、
トリックモード制御情報（Ｔｒｉｃｋ＿Ｍｏｄｅ＿Ｃｏｎｔｒｏｌ）
ＥＰＮ＝コピー出力データ暗号化要否情報
ＣＣＩ＝コピー制御情報
これらのデータ領域に、先に図２１〜図２３を参照して説明したマッピングデータに基づくマッピング処理によって生成したＡＡＣＳ規定の制御情報を記録する。
なお、この他のマッピング処理によって生成したＡＡＣＳ規定の利用制御情報を確認する場合は、利用制御情報ファイル（Ｕｓａｇｅ  Ｆｉｌｅ）を参照すればよい。
【０２０６】
リテンションムーブモード（Ｒｅｔｅｎｔｉｏｎ＿Ｍｏｖｅ＿Ｍｏｄｅ）、リテンションステート（Ｒｅｔｅｎｔｉｏｎ＿Ｓｔａｔｅ）、これらの情報は、データのコピー許容期間に関する情報である。本開示の処理では、これらのデータは利用しない。
【０２０７】
トリックモード制御情報（Ｔｒｉｃｋ＿Ｍｏｄｅ＿Ｃｏｎｔｒｏｌ）
ＥＰＮ＝コピー出力データ暗号化要否情報
ＣＣＩ＝コピー制御情報
これらのデータ記録領域には、先に図２１〜図２３のマッピングデータを利用したマッピング処理によって取得した値を記録する。
【０２０８】
具体的には、例えば図２７に示す各値を記録する。
「トリックモード制御情報（ｔｒｉｃｋ＿ｍｏｄｅ＿ｃｏｎｔｒｏｌ＿ｉｎｆｏ）」のデータ記録領域には、以下のいずれかのビット値（１ビット）を記録する。
０＝トリックモード再生（特殊再生）制限なし
１＝トリックモード再生（特殊再生）制限あり
【０２０９】
また、「ＥＰＮ（出力データ暗号化要否情報）」のデータ記録領域には、以下のいずれかのビット値（１ビット）を記録する。
０＝コピー出力データの暗号化必要（ＥＰＮ−ａｓｓｅｒｔｅｄ）
１＝コピー出力データの暗号化不要（ＥＰＮ−ｕｎａｓｓｅｒｔｅｄ）
【０２１０】
さらに、「ＣＣＩ（コピー制御情報）」のデータ記録領域には、以下のいずれかのビット値（２ビット）を記録する。
００＝コピー制限なし（Ｃｏｐｙ  Ｃｏｎｔｒｏｌ  Ｎｏｔ  Ａｓｓｅｒｔｅｄ）
０１＝これ以上コピー不可（Ｎｏ  Ｍｏｒｅ  Ｃｏｐｙ）
【０２１１】
このように、図２１〜図２３を参照して説明したマッピング処理によって生成したＡＡＣＳ規定の制御情報を、埋め込み型コピー制御情報（Ｅｍｂｅｄｄｅｄ  ＣＣＩ）１２２に記録する場合は、クリップＡＶストリームファイルを構成するＴＳパケット内に格納されるＰＭＴ（Ｐｒｏｇｒａｍ  Ｍａｐ  Ｔａｂｌｅ（プログラムマップテーブル））にマッピング処理によって生成したＡＡＣＳ規定の制御情報を記録する。
【０２１２】
［７．再生制御情報ファイルにトリックモード制御情報を記録する構成例について］
次に、再生制御情報ファイルにトリックモード制御情報（ｔｒｉｃｋ＿ｍｏｄｅ＿ｃｏｎｔｒｏｌ＿ｉｎｆｏ）を記録する構成例について説明する。
【０２１３】
先に説明したように、トリックモード制御情報（ｔｒｉｃｋ＿ｍｏｄｅ＿ｃｏｎｔｒｏｌ＿ｉｎｆｏ）は、ＡＡＣＳ規定の利用制御情報には規定のない制御情報である。上述した実施例では、このトリックモード制御情報（ｔｒｉｃｋ＿ｍｏｄｅ＿ｃｏｎｔｒｏｌ＿ｉｎｆｏ）も、他のＡＡＣＳ規定の制御情報と同様、図１６を参照して説明したＡＡＣＳ規定の利用制御情報ファイル１２１や埋め込み型コピー制御情報１２２としてＰＭＴ（プログラムマップテーブル）に記録する例を説明した。
【０２１４】
このトリックモード制御情報（ｔｒｉｃｋ＿ｍｏｄｅ＿ｃｏｎｔｒｏｌ＿ｉｎｆｏ）については、例えば、情報記録媒体のデータ記録フォーマットであるＢＤＡＶフォーマットで規定される再生制御情報ファイルであるプレイリストファイルやクリップ情報ファイルに記録する構成としてもよい。
なお、トリックモード制御情報（ｔｒｉｃｋ＿ｍｏｄｅ＿ｃｏｎｔｒｏｌ＿ｉｎｆｏ）は、利用制御情報ファイル１２１や埋め込み型コピー制御情報１２２に記録するとともに、さらに、プレイリストファイルやクリップ情報ファイルに記録する構成としてもよい。
【０２１５】
以下、プレイリストファイルやクリップ情報ファイルにトリックモード制御情報（ｔｒｉｃｋ＿ｍｏｄｅ＿ｃｏｎｔｒｏｌ＿ｉｎｆｏ）を記録する例について説明する。
図２８は、先に図１１を参照して説明したと同様、情報記録媒体（メディア）４０にＢＤＡＶフォーマットに従って記録されたデータのディレクトリ構成例を示す図である。
ディレクトリには、
また、再生制御情報ファイルとして、
プレイリストファイル（ｐｌａｙｌｉｓｔ）、
クリップ情報ファイル（ｃｌｉｐｉｎｆ）
例えば、これらのファイルが記録される。
さらに、再生データ格納ファイルとして、クリップＡＶストリームファイル（ｓｔｒｅａｍ）が記録される。
【０２１６】
プレイリストファイルは、タイトルによって指定される再生プログラムのプログラム情報に従ってコンテンツの再生順等を規定したファイルであり、例えば、再生位置情報等を記録したクリップ情報ファイルの指定情報等を有する。
クリップ情報ファイルは、プレイリストファイルによって指定されるファイルであり、クリップＡＶストリームファイルの再生位置情報等を有する。
【０２１７】
クリップＡＶストリームファイルは、再生対象となるＡＶストリームデータや管理情報を格納したファイルである。クリップＡＶストリームファイルは、再生対象となる画像、音声、字幕等の各データや、管理情報を格納したパケットによって構成される。
【０２１８】
先に図１２を参照して説明したように、クリップＡＶストリームファイルに格納された画像や音声の再生を行う場合は、再生制御情報ファイルであるプレイリストファイルやクリップ情報ファイルが利用される。
さすなわち情報記録媒体からのデータ再生を実行する再生装置は、再生対象コンテンツを格納したクリップＡＶストリームファイルを選択して再生する場合、必ず、そのクリップＡＶストリームファイルに対応付けられた再生制御情報ファイルであるプレイリストファイルやクリップ情報ファイルを取得して参照して再生処理を行うことになる。
【０２１９】
これらの再生制御情報ファイルであるプレイリストファイルやクリップ情報ファイルにトリックモード制御情報（ｔｒｉｃｋ＿ｍｏｄｅ＿ｃｏｎｔｒｏｌ＿ｉｎｆｏ）を記録することで、再生装置は、再生対象コンテンツがトリックプレー、すなわち早送り、スロー再生、スキップ再生等の特殊再生が許容されたコンテンツであるか否かを確認することが可能となる。なお、トリックモード制御情報（ｔｒｉｃｋ＿ｍｏｄｅ＿ｃｏｎｔｒｏｌ＿ｉｎｆｏ）をプレイリストファイルやクリップ情報ファイルに記録する場合、いずれか一方のファイルのみに記録する設定と、２つのファイル双方に記録する設定のいずれも可能である。
【０２２０】
以下の２つの例について、順次、説明する。
（処理例１）プレイリストファイルにトリックモード制御情報（ｔｒｉｃｋ＿ｍｏｄｅ＿ｃｏｎｔｒｏｌ＿ｉｎｆｏ）を記録した例
（処理例２）クリップ情報ファイルにトリックモード制御情報（ｔｒｉｃｋ＿ｍｏｄｅ＿ｃｏｎｔｒｏｌ＿ｉｎｆｏ）を記録した例
【０２２１】
（処理例１）プレイリストファイルにトリックモード制御情報（ｔｒｉｃｋ＿ｍｏｄｅ＿ｃｏｎｔｒｏｌ＿ｉｎｆｏ）を記録した例
まず、（処理例１）として、プレイリストファイルにトリックモード制御情報（ｔｒｉｃｋ＿ｍｏｄｅ＿ｃｏｎｔｒｏｌ＿ｉｎｆｏ）を記録した例について説明する。
【０２２２】
図２９は、プレイリストファイルの構成データであるユーザインタフェースアプリケーション情報［ＵＩＡｐｐＩｎｆｏＰｌａｙＬｉｓｔ］のデータ構成（シンタクス）を示す図である。
ユーザインタフェースアプリケーション情報［ＵＩＡｐｐＩｎｆｏＰｌａｙＬｉｓｔ］は、プレイリストの構成データの１つであり、主にユーザインタフェースアプリケーションのパラメータが記録される。
【０２２３】
ユーザインタフェースアプリケーション情報［ＵＩＡｐｐＩｎｆｏＰｌａｙＬｉｓｔ］には、図２９に示すように、例えば、以下のデータが記録される。
（Ｐ１）録画日時（ｒｅｃｏｒｄ＿ｔｉｍｅ＿ａｎｄ＿ｄａｔｅ）
（Ｐ２）チャンネル番号（ｃｈａｎｎｅｌ＿ｎｕｍｂｅｒ）
（Ｐ３）チャンネル名（ｃｈａｎｎｅｌ＿ｎａｍｅ）
（Ｐ４）録画番組名（Ｐｌａｙｌｉｓｔ＿ｎａｍｅ）
（Ｐ５）録画番組詳細（Ｐｌａｙｌｉｓｔ＿ｄｅｔａｉｌ）
これらは、情報記録媒体に記録したコンテンツ（番組）に関する情報である。
【０２２４】
例えば放送局からの配信コンテンツ（番組）を情報記録媒体（メディア）に記録する情報処理装置は、受信データから、上記の（Ｐ１）〜（Ｐ５）に相当するデータを抽出して、これらのデータを記録したプレイリストファイルを生成する。
【０２２５】
さらに、図２９に示すプレイリストファイルのユーザインタフェースアプリケーション情報［ＵＩＡｐｐＩｎｆｏＰｌａｙＬｉｓｔ］のリザーブ領域２３１の一部を利用して、トリックモード制御情報（ｔｒｉｃｋ＿ｍｏｄｅ＿ｃｏｎｔｒｏｌ＿ｉｎｆｏ）を記録する。
図２９に示すリザーブ領域２３１には５ビットの空き領域が設定されている。
この５ビット中、１ビットをトリックモード制御情報（ｔｒｉｃｋ＿ｍｏｄｅ＿ｃｏｎｔｒｏｌ＿ｉｎｆｏ）の記録領域とする。
【０２２６】
すなわち、図３０に示すように、１ビットのトリックモード制御情報（ｔｒｉｃｋ＿ｍｏｄｅ＿ｃｏｎｔｒｏｌ＿ｉｎｆｏ）記録領域２３２を設定する。
ここには、先に図２１〜図２３を参照して説明したマッピングデータに基づくマッピング処理によって生成した１ビットのトリックモード制御情報（ｔｒｉｃｋ＿ｍｏｄｅ＿ｃｏｎｔｒｏｌ＿ｉｎｆｏ）、すなわち、以下のいずれかのビット値を記録する。
０＝トリックモード再生（特殊再生）制限なし
１＝トリックモード再生（特殊再生）制限あり
【０２２７】
このように、プレイリストファイルにトリックモード制御情報（ｔｒｉｃｋ＿ｍｏｄｅ＿ｃｏｎｔｒｏｌ＿ｉｎｆｏ）を記録することで、情報記録媒体からの再生処理を実行する再生装置は、このプレイリストファイルを利用して再生されるコンテンツがトリックプレー、すなわち早送り、スロー再生、スキップ再生等の特殊再生が許容されたコンテンツであるか否かを確認することが可能となる。
【０２２８】
（処理例２）クリップ情報ファイルにトリックモード制御情報（ｔｒｉｃｋ＿ｍｏｄｅ＿ｃｏｎｔｒｏｌ＿ｉｎｆｏ）を記録した例
次に、（処理例２）として、クリップ情報ファイルにトリックモード制御情報（ｔｒｉｃｋ＿ｍｏｄｅ＿ｃｏｎｔｒｏｌ＿ｉｎｆｏ）を記録した例について説明する。
【０２２９】
図３１は、クリップ情報ファイルの構成データであるクリップ情報［ＣｌｉｐＩｎｆｏ（）］のデータ構成（シンタクス）を示す図である。
クリップ情報［ＣｌｉｐＩｎｆｏ（）］は、クリップ情報ファイルの構成データの１つであり、主にクリップ情報ファイルに対応するＡＶストリームファイルの属性情報が記録される。
【０２３０】
クリップ情報［ＣｌｉｐＩｎｆｏ（）］には、図３１に示すように、例えば、以下のデータが記録される。
（Ｃ１）ストリームタイプ
（Ｃ２）エンコード情報
（Ｃ３）ＴＳレート情報
（Ｃ４）ソースパケット情報
【０２３１】
例えば放送局からの配信コンテンツ（番組）を情報記録媒体（メディア）に記録する情報処理装置は、上記の（Ｃ１）〜（Ｃ４）に相当するデータを生成して、これらのデータを記録したクリップ情報ファイルを生成する。
【０２３２】
さらに、図３１に示すクリップ情報ファイルのクリップ情報［ＣｌｉｐＩｎｆｏ（）］のリザーブ領域２５１の一部を利用して、トリックモード制御情報（ｔｒｉｃｋ＿ｍｏｄｅ＿ｃｏｎｔｒｏｌ＿ｉｎｆｏ）を記録する。
図３１に示すリザーブ領域２５１には４ビットの空き領域が設定されている。
この４ビット中、１ビットをトリックモード制御情報（ｔｒｉｃｋ＿ｍｏｄｅ＿ｃｏｎｔｒｏｌ＿ｉｎｆｏ）の記録領域とする。
【０２３３】
すなわち、図３２に示すように、１ビットのトリックモード制御情報（ｔｒｉｃｋ＿ｍｏｄｅ＿ｃｏｎｔｒｏｌ＿ｉｎｆｏ）記録領域２５２を設定する。
ここには、先に図２１〜図２３を参照して説明したマッピングデータに基づくマッピング処理によって生成した１ビットのトリックモード制御情報（ｔｒｉｃｋ＿ｍｏｄｅ＿ｃｏｎｔｒｏｌ＿ｉｎｆｏ）、すなわち、以下のいずれかのビット値を記録する。
０＝トリックモード再生（特殊再生）制限なし
１＝トリックモード再生（特殊再生）制限あり
【０２３４】
このように、クリップ情報ファイルにトリックモード制御情報（ｔｒｉｃｋ＿ｍｏｄｅ＿ｃｏｎｔｒｏｌ＿ｉｎｆｏ）を記録することで、情報記録媒体からの再生処理を実行する再生装置は、このクリップ情報ファイルを利用して再生されるコンテンツがトリックプレー、すなわち早送り、スロー再生、スキップ再生等の特殊再生が許容されたコンテンツであるか否かを確認することが可能となる。
【０２３５】
なお、ここまで、放送局から受信した利用制御情報をマッピングして生成したＡＡＣＳ対応のコピー制御情報を含む利用制御情報の記録先として、以下の複数の例について説明した。
（１）ＡＡＣＳ管理データとして設定される利用制御情報ファイル（Ｕｓａｇｅ  Ｆｉｌｅ）
（２）ＢＤＡＶ、ＳＰＡＶフォーマットにおいて規定されるクリップＡＶストリームファイルを構成するＴＳパケットに格納するＰＭＴ（プログラムマップテーブル）
（＝埋め込み型コピー制御情報（Ｅｍｂｅｄｄｅｄ  ＣＣＩ））
（３）プレイリストファイル
（４）クリップ情報ファイル
【０２３６】
放送局から受信した利用制御情報をマッピングして生成したＡＡＣＳ対応のコピー制御情報を含む利用制御情報は、少なくとも上記（１）〜（４）のいずれかに記録すればよい。同じ制御情報を複数の記録先に重複して記録してもよい。
【０２３７】
［８．情報記録媒体に対するデータ記録処理を実行する情報処理装置の構成と処理について］
次に、図３３以下を参照して、放送局等の送信装置から受信したデータを入力して、情報記録媒体に対するデータ記録処理を実行する情報処理装置の構成と処理について説明する。
【０２３８】
先に説明したように、本開示の情報処理装置は、放送局等の送信装置からの受信データを、ＢＤＡＶフォーマットやＳＰＡＶフォーマットデータとして、ＢＤやＨＤＤ、あるいはフラッシュメモリ等の情報記録媒体に記録する。
さらに、このデータ記録処理に際して、放送局等の送信装置からの受信データに含まれるコピー制御情報等の利用制御情報を取得して、利用制御情報ファイル（Ｕｓａｇｅ  Ｆｉｌｅ）や、埋め込み型コピー制御情報、具体的にはＰＭＴ（プログラムマップテーブル）に記録する処理を行う。さらに、プレイリストやクリップ情報ファイル等のデータベースファイルにも一部の利用制御情報、具体的には、トリックモード制御情報（ｔｒｉｃｋ＿ｍｏｄｅ＿ｃｏｎｔｒｏｌ＿ｉｎｆｏ）を記録する。
【０２３９】
放送局等の送信装置からの受信データに含まれるコピー制御情報等の利用制御情報とは、例えばＣＩ＋（ＣＩ  Ｐｌｕｓ）規定のコピー制御情報を含む利用制御情報である。具体的には先に説明した図６に示す制御情報等が含まれる。
以下、ＢＤ等の情報記録媒体に対するデータ記録処理を実行する情報処理装置の構成と、処理シーケンスについて説明する。
【０２４０】
なお、以下では、代表例としてＢＤＡＶフォーマットデータの生成と記録を行う装置と処理例について説明するが、以下で説明する装置や処理はＳＰＡＶフォーマットデータの生成と記録を行う場合も適用可能である。
【０２４１】
図３３は、ＢＤ等の情報記録媒体に対するデータ記録処理を実行する情報処理装置４００の構成を示す図である。
情報処理装置４００は、情報記録媒体（記録メディア）４２０に、クリップＡＶストリームファイル、さらに、プレイリストやクリップ情報ファイル等のデータベースファイルを記録する。
【０２４２】
データ入力部４０１は、情報記録媒体４２０に記録するためのデータ、すなわち放送配信データ４３１を入力する。放送配信データ４３１は、例えば放送局やコンテンツサーバ等からの送信データであり、コンテンツ（番組）を構成する画像、音声、字幕等のデータと、コンテンツ（番組）対応のコピー制御情報を含む利用制御情報が含まれる。
利用制御情報は、例えばＣＩ＋（ＣＩ  Ｐｌｕｓ）規定の利用制御情報である。
【０２４３】
データ入力部４０１から入力する放送配信データ４３１は、制御部４０３の制御によって、記憶部４０４に格納される。
ユーザ入力部４０２は、例えば情報記録媒体４２０に対するデータ記録の開始要求等を入力する。
【０２４４】
ユーザ入力部４０２から、データ記録開始要求を入力すると、この入力をトリガとして、記憶部４０４に格納された放送配信データ４３１が、デマルチプレクサ（ＤｅＭＵＸ）４０５に入力される。
デマルチプレクサ（ＤｅＭＵＸ）４０５は、放送配信データ４３１から、画像、音声、字幕等の各データを格納したパケットや、通知情報や、再生制御情報、コピー制御情報等の利用制御情報を含む補助情報を取得し、データ種別のパケットに分類し、各パケットを、データ種類に応じて、記録データ生成部４０６の字幕データ生成部４１１、画像データ生成部４１２、音声データ生成部４１３、補助情報生成部４１４に入力する。
【０２４５】
字幕データ生成部４１１は、データ入力部４０１が入力し、記憶部４０４に格納された放送配信データ４３１から、字幕データを取得し、ＢＤＡＶフォーマットにおいて規定されるストリームファイル格納用データを生成する。
画像データ生成部４１２は、データ入力部４０１が入力し、記憶部４０４に格納された放送配信データ４３１から、画像データを取得し、ＢＤＡＶフォーマットにおいて規定されるストリームファイル格納用データを生成する。
音声データ生成部４１３は、データ入力部４０１が入力し、記憶部４０４に格納された放送配信データ４３１から、音声データを取得し、ＢＤＡＶフォーマットにおいて規定されるストリームファイル格納用データを生成する。
【０２４６】
補助情報生成部４１４は、データ入力部４０１が入力し、記憶部４０４に格納された放送配信データ４３１から、通知情報や、再生制御情報、コピー制御情報等を含む制御情報等の補助情報を取得し、ＢＤＡＶフォーマットにおいて規定されるデータベースファイルとしてのプレイリストファイルやクリップ情報ファイル、クリップＡＶストリームファイル等に格納すべきデータを生成する。
【０２４７】
補助情報生成部４１４は、さらに、コピー制御情報等の利用制御情報を記録した利用制御情報ファイル（Ｕｓａｇｅ  Ｆｉｌｅ）や、埋め込み型コピー制御情報、具体的にはＰＭＴ（プログラムマップテーブル）を生成する処理を行う。さらに、プレイリストやクリップ情報ファイル等のデータベースファイルにも一部の利用制御情報、具体的には、トリックモード制御情報（ｔｒｉｃｋ＿ｍｏｄｅ＿ｃｏｎｔｒｏｌ＿ｉｎｆｏ）を記録する。
補助情報生成部４１４の具体例については、図３４を参照して後段で説明する。
【０２４８】
マルチプレクサ（ＭＵＸ）４１５は、字幕データ生成部４１１、画像データ生成部４１２、音声データ生成部４１３が変換した字幕、画像、音声各データ、および補助情報生成部４１４が生成した利用制御情報を記録したＰＭＴ（プログラムマップテーブル）等を入力し、これらのデータを格納したストリームファイルを生成する。
【０２４９】
利用制御情報ファイル生成部４１６は、補助情報生成部４１４が放送配信データ４３１の制御情報から取得し、マッピング処理によって生成したＡＡＣＳ対応のコピー制御情報等の利用制御情報を記録した利用制御情報ファイル（Ｕｓａｇｅ  Ｆｉｌｅ）を生成する。
【０２５０】
データベースファイル生成部４１７は、補助情報生成部４１４が放送配信データ４３１の制御情報から取得し、マッピング処理によって生成したＡＡＣＳ対応のコピー制御情報等の利用制御情報の少なくとも一部のデータを記録したプレイリストファイルやクリップ情報ファイル等のデータベースファイルを生成する。
【０２５１】
記録データ生成部４０６の生成したストリームファイルデータと、プレイリストファイル、クリップ情報ファイル等のデータベースファイル、さらに利用制御情報ファイル等を含む記録データ４３２は、制御部４０３の制御の下、記録部４０６によって、ドライブ４０７を介して情報記録媒体４２０に出力され、記録される。
【０２５２】
次に、図３３に示す情報処理装置４００の補助情報生成部４１４の詳細構成と処理について図３４を参照して説明する。
補助情報生成部４１４は放送配信データ４３１に含まれる利用制御情報、例えばＣＩ＋（ＣＩ  Ｐｌｕｓ）規定の利用制御情報を取得し、マッピング処理によってＡＡＣＳ対応のコピー制御情報等の利用制御情報を生成する。さらに、生成したＡＡＣＳ対応のコピー制御情報等の利用制御情報を利用制御情報ファイル（Ｕｓａｇｅ  Ｆｉｌｅ）や、埋め込み型コピー制御情報、具体的にはＰＭＴ（プログラムマップテーブル）に記録する処理を行う。さらに、プレイリストやクリップ情報ファイル等のデータベースファイルにも一部の利用制御情報、具体的には、トリックモード制御情報（ｔｒｉｃｋ＿ｍｏｄｅ＿ｃｏｎｔｒｏｌ＿ｉｎｆｏ）を記録する。
【０２５３】
図３４に示すように、記録データ生成部４０６は、字幕データ生成部４１１、画像データ生成部４１２、音声データ生成部４１３、補助情報生成部４１４、マルチブレクサ（ＭＵＸ）４１５、利用制御情報ファイル生成部４１６、データベースファイル生成部４１７を有する。
【０２５４】
補助情報生成部４１４は、データ解析部４５１、ストリームファイル記録用制御情報生成部４５３、利用制御情報ファイル記録データ生成部４５４、さらにデータベースファイル記録データ生成部４５５を有する。
データ解析部４５１は、デマルチブレクサ（ＤｅＭＵＸ）４０５によって分離されたデータを解析し、情報記録媒体（記録メディア）４２０に記録するコピー制御情報等の利用制御情報を生成する。
【０２５５】
具体的には、先に図２１〜図２３を参照して説明したマッピングデータに基づくマッピング処理によって、放送配信データに含まれる利用制御情報の各設定値を、ＡＡＣＳ規定の制御情報の設定値に変換してＡＡＣＳ対応のコピー制御情報を含む利用制御情報を生成する。
【０２５６】
生成したコピー制御情報を含む利用制御情報は、ストリームファイル記録用制御情報生成部４５３、利用制御情報ファイル記録データ生成部４５４、さらにデータベースファイル記録データ生成部４５５に出力される。
【０２５７】
ストリームファイル記録用制御情報生成部４５３は、ＢＤＡＶ規定のクリップＡＶストリームファイルを構成するＴＳパケットに格納するＰＭＴ（プログラムマップテーブル）にＡＡＣＳ対応のコピー制御情報を含む利用制御情報を記録する処理を行う。この処理は、先に図２４〜図２７を参照して説明したＰＭＴの生成処理に相当する。この制御情報は、いわゆる埋め込み型コピー制御情報（Ｅｍｂｅｄｄｅｄ  ＣＣＩ）の生成処理である。
【０２５８】
利用制御情報ファイル記録データ生成部４５４は、ＡＡＣＳの管理データである利用制御情報ファイル（Ｕｓａｇｅ  Ｆｉｌｅ）に記録するＡＡＣＳ対応のコピー制御情報を含む利用制御情報を生成する処理を行う。
利用制御情報ファイル生成部４１６は、利用制御情報ファイル記録データ生成部４５４の生成した利用制御情報ファイル記録データを格納した利用制御情報ファイル（Ｕｓａｇｅ  Ｆｉｌｅ）を生成する。
【０２５９】
データベースファイル記録データ生成部４５５は、プレイリストやクリップ情報ファイル等のデータベースファイルに記録する一部の利用制御情報、具体的には、トリックモード制御情報（ｔｒｉｃｋ＿ｍｏｄｅ＿ｃｏｎｔｒｏｌ＿ｉｎｆｏ）等を生成する処理を行う。
データベースファイル生成部４１７は、データベースファイル記録データ生成部４５５の生成データを適用して、プレイリストファイル、クリップ情報ファイルを生成する。
これらの処理は、先に図２８〜図３２を参照して説明した処理に相当する。
【０２６０】
字幕データ生成部４１１、画像データ生成部４１２、音声データ生成部４１３の生成した記録用データと、ストリームファイル記録用制御情報生成部４５３の生成した制御情報は、マルチプレクサ（ＭＵＸ）４１５に入力される。
【０２６１】
マルチプレクサ（ＭＵＸ）４１５のストリームファイル生成部４６１は、ＴＳパケットから構成されるクリップＡＶストリームファイルを生成する。
なお、このストリームファイルを構成するＴＳパケットの一部にはＰＭＴ（プログラムマップテーブル）が格納されている。ＰＭＴには、マッピング処理によって生成したＡＡＣＳ対応のコピー制御情報等の利用制御情報が記録されている。
【０２６２】
このようにして生成されたストリームファイル、データベースファイル、および利用制御情報ファイルが情報記録媒体（記録メディア）４２０に対する記録データ４３２として記録部４０７に出力される。
【０２６３】
次に、図３３に示す情報処理装置４００が実行する情報記録媒体４２０に対するデータ記録処理のシーケンスについて、図３５、図３６に示すフローチャートを参照して説明する。
図３５は、利用制御情報ファイル（Ｕｓａｇｅ  Ｆｉｌｅ）にコピー制御情報を含む利用制御情報を記録して情報記録媒体４２０に記録する処理の処理シーケンスを説明するフローチャートである。
図３６は、利用制御情報ファイル（Ｕｓａｇｅ  Ｆｉｌｅ）と、クリップＡＶストリームファイルを構成するＴＳパケットに格納するＰＭＴ（プログラムマップテーブル）にコピー制御情報を含む利用制御情報を記録して情報記録媒体４２０に記録する処理の処理シーケンスを説明するフローチャートである。
【０２６４】
まず、図３５を参照して、利用制御情報ファイル（Ｕｓａｇｅ  Ｆｉｌｅ）にコピー制御情報を含む利用制御情報を記録して情報記録媒体４２０に記録する処理の処理シーケンスについて説明する。
図３５に示すフローに従った処理は、例えば情報処理装置の記憶部に格納されたプログラムに従って、プログラム実行機能を有するＣＰＵを備えたデータ処理部（制御部）の制御の下で実行することができる。
以下、図３５のフローに示す各ステップの処理について、順次、説明する。
【０２６５】
（ステップＳ１０１）
まず、情報処理装置４００は、ステップＳ１０１において、データ入力部４０１を介して記録用データである放送配信データを入力する。
なお、この記録用データにはコンテンツ（番組）を構成する画像データ、音声データ、字幕データ、さらに、コンテンツ（番組）対応の利用制御情報が含まれる。例えばＣＩ＋（ＣＩ  Ｐｌｕｓ）規定の利用制御情報が含まれる。
【０２６６】
（ステップＳ１０２）
次に、ステップＳ１０２において、情報処理装置４００は、入力した放送配信データのデマルチプレクス処理、すなわち、データ種類単位のデータ分離処理を行う。画像、音声、字幕、利用制御情報等の分離処理を実行する。
【０２６７】
（ステップＳ１０３）
次に、ステップＳ１０３において、情報処理装置４００は、ステップＳ１０２で分離した利用制御情報をＡＡＣＳ規定の制御情報に変換する。
これは、先に図２１〜図２３を参照して説明したマッピングデータに基づくマッピング処理によって、放送配信データに含まれる利用制御情報の各設定値を、ＡＡＣＳ規定の制御情報の設定値に変換してＡＡＣＳ対応のコピー制御情報を含む利用制御情報を生成する処理である。
【０２６８】
（ステップＳ１０４）
次に、ステップＳ１０４において、情報処理装置４００は、ステップＳ１０３で生成したＡＡＣＳ対応のコピー制御情報を含む利用制御情報を、ＡＡＣＳ規定の管理情報である利用制御情報ファイル（Ｕｓａｇｅ  Ｆｉｌｅ）に記録する処理を行う。
【０２６９】
（ステップＳ１０５）
次に、ステップＳ１０５において、情報処理装置４００は、ＢＤＡＶフォーマット規定のＴＳパケット列からなるストリームファイルを生成する。
【０２７０】
（ステップＳ１０６）
次に、ステップＳ１０６において、情報処理装置４００は、ＢＤＡＶフォーマットにおいて規定されるクリップ情報ファイル、プレイリストファイル、その他のデータベースファイルを生成する。なお、この処理に際して、前述のマッピング処理により生成した利用制御情報をクリップ情報ファイル、またはプレイリストファイルの少なくともいずれかに記録してもよい。
これは、先に図２８〜図３２を参照して説明した処理であり、例えばトリックモード制御情報（ｔｒｉｃｋ＿ｍｏｄｅ＿ｃｏｎｔｒｏｌ＿ｉｎｆｏ）等をクリップ情報ファイル、またはプレイリストファイルの少なくともいずれかに記録する処理である。
【０２７１】
（ステップＳ１０７）
次に、ステップＳ１０７において、情報処理装置４００は、生成したＡＶストリームファイルとデータベースファイルを利用してＢＤＡＶフォーマットデータを生成する。
【０２７２】
（ステップＳ１０８）
次に、ステップＳ１０８において、情報処理装置４００は、ＡＡＣＳ規定の利用制御情報ファイルを含むＡＡＣＳ規定の管理データファイルを生成する。
【０２７３】
（ステップＳ１０９）
次に、ステップＳ１０９において、情報処理装置４００は、ステップＳ１０７〜Ｓ１０８で生成したＢＤＡＶフォーマットデータ、およびＡＡＣＳ管理データを情報記録媒体（メディア）に記録する。
【０２７４】
次に、図３６を参照して、利用制御情報ファイル（Ｕｓａｇｅ  Ｆｉｌｅ）と、クリップＡＶストリームファイルを構成するＴＳパケットに格納するＰＭＴ（プログラムマップテーブル）にコピー制御情報を含む利用制御情報を記録して情報記録媒体４２０に記録する処理の処理シーケンスについて説明する。
図３６に示すフローに従った処理は、例えば情報処理装置の記憶部に格納されたプログラムに従って、プログラム実行機能を有するＣＰＵを備えたデータ処理部（制御部）の制御の下で実行することができる。
以下、図３６のフローに示す各ステップの処理について、順次、説明する。
【０２７５】
（ステップＳ１０１〜Ｓ１０４）
ステップＳ１０１〜Ｓ１０４の処理は、図３５を参照して説明したステップＳ１０１〜Ｓ１０４の処理と同じ処理である。
まず、情報処理装置４００は、ステップＳ１０１において、データ入力部４０１を介して記録用データである放送配信データを入力する。
次に、ステップＳ１０２において、情報処理装置４００は、入力した放送配信データのデマルチプレクス処理、すなわち、データ種類単位のデータ分離処理を行う。画像、音声、字幕、利用制御情報等の分離処理を実行する。
【０２７６】
次に、ステップＳ１０３において、情報処理装置４００は、ステップＳ１０２で分離した利用制御情報をＡＡＣＳ規定の制御情報に変換する。すなわち、先に図２１〜図２３を参照して説明したマッピングデータに基づくマッピング処理によって、放送配信データに含まれる利用制御情報の各設定値を、ＡＡＣＳ規定の制御情報の設定値に変換してＡＡＣＳ対応のコピー制御情報を含む利用制御情報を生成する。
次に、ステップＳ１０４において、情報処理装置４００は、ステップＳ１０３で生成したＡＡＣＳ対応のコピー制御情報を含む利用制御情報を、ＡＡＣＳ規定の管理情報である利用制御情報ファイル（Ｕｓａｇｅ  Ｆｉｌｅ）に記録する
【０２７７】
（ステップＳ１２１）
次に、ステップＳ１２１において、情報処理装置４００は、ＢＤＡＶ規定のＰＭＴ（プログラムマップテーブル）に、ステップＳ１０３で生成したＡＡＣＳ対応のコピー制御情報を含む利用制御情報を記録してＰＭＴを生成する処理を行う。
【０２７８】
（ステップＳ１２２）
次に、ステップＳ１２２において、情報処理装置４００は、ステップＳ１２１で生成したＡＡＣＳ対応のコピー制御情報を含む利用制御情報を記録したＰＭＴをＢＤＡＶ規定のＴＳパケットに格納し、このＰＭＴ格納パケットと、画像、音声、字幕等の再生データの格納パケットを含むＢＤＡＶフォーマット規定のＴＳパケット列からなるストリームファイルを生成する。
【０２７９】
（ステップＳ１０６〜Ｓ１０９）
ステップＳ１０６〜Ｓ１０９の処理は、先に図３５を参照して説明したフローにおけるステップＳ１０６〜Ｓ１０９の処理と同様の処理である。
まず、ステップＳ１０６において、情報処理装置４００は、情報処理装置４００は、ＢＤＡＶフォーマットにおいて規定されるクリップ情報ファイル、プレイリストファイル、その他のデータベースファイルを生成する。なお、この処理に際して、前述のマッピング処理により生成した利用制御情報をクリップ情報ファイル、またはプレイリストファイルの少なくともいずれかに記録してもよい。
【０２８０】
次に、ステップＳ１０７において、情報処理装置４００は、生成したＡＶストリームファイルとデータベースファイルを利用してＢＤＡＶフォーマットデータを生成する。
次に、ステップＳ１０８において、情報処理装置４００は、ＡＡＣＳ規定の利用制御情報ファイルを含むＡＡＣＳ規定の管理データファイルを生成する。
次に、ステップＳ１０９において、情報処理装置４００は、ステップＳ１０７〜Ｓ１０８で生成したＢＤＡＶフォーマットデータ、およびＡＡＣＳ管理データを情報記録媒体（メディア）に記録する。
【０２８１】
この図３６に示すフローでは、放送配信データに含まれる利用制御情報のマッピング処理によって生成したＡＡＣＳ対応の利用制御情報が利用制御情報ファイル（Ｕｓａｇｅ  Ｆｉｌｅ）と、クリップＡＶストリームファイルを構成するＴＳパケットに格納される。
【０２８２】
［９．情報記録媒体に記録されたデータの再生やコピー処理を実行する情報処理装置の構成と処理について］
次に、図３７以下を参照して情報記録媒体に記録されたデータの再生やコピー処理を実行する情報処理装置の構成と処理について説明する。
【０２８３】
なお、以下では、代表例としてＢＤＡＶフォーマットデータの再生やコピーを行う装置と処理例について説明するが、以下で説明する装置や処理はＳＰＡＶフォーマットデータの再生やコピーを行う場合も適用可能である。
【０２８４】
図３７に示す情報処理装置５００は、情報記録媒体（メディア）５５０に記録されたデータを読み取って、再生、または他のメディアである第２メディア５１０にコピー記録する情報処理装置である。
【０２８５】
情報処理装置５００は、例えばＢＤ（Ｂｌｕ−ｒａｙ（登録商標）  Ｄｉｓｃ）等の情報記録媒体である情報記録媒体（メディア）５５０に記録されたデータを読み出して、再生、またはコピー処理を行なう。
【０２８６】
情報記録媒体（メディア）５５０にはＢＤＡＶフォーマットデータ、およびＡＡＣＳ管理データが記録されている。この記録データは、放送局等の送信装置からの受信データである放送コンテンツ（番組）である。さらに、情報記録媒体（メディア）５５０には、放送局等の送信装置から受信した利用制御情報の変換処理（マッピング）によって生成したＡＡＣＳ規定対応の利用制御情報が記録されている。
これらは、ＡＡＣＳ管理データである利用制御情報ファイル（Ｕｓａｇｅ  Ｆｉｌｅ）や、埋め込み型コピー制御情報、具体的にはＰＭＴ（プログラムマップテーブル）に記録されている。さらに、プレイリストやクリップ情報ファイル等のデータベースファイルにも一部の利用制御情報、具体的には、トリックモード制御情報（ｔｒｉｃｋ＿ｍｏｄｅ＿ｃｏｎｔｒｏｌ＿ｉｎｆｏ）が記録されている。
【０２８７】
情報処理装置５００は、図３７に示すように、制御部５０１、ドライブ５０２、ユーザ入力部５０３、利用制御情報確認部５０４、記憶部５０５、再生データ生成部５０６、出力装置５０７、コピーデータ生成部５０８、記録部５０９、出力Ｉ／Ｆ５１０を有する。
記録部５０９は第２メディア５７０に対するコピーデータの記録処理を行う。出力Ｉ／Ｆ５１０は、外部記録装置５８０に対するコピーデータの出力を行う。
【０２８８】
制御部５０１は、メディアを利用したデータ記録再生、メディア間のデータコピー処理等、情報処理装置５００において実行するデータ処理の制御を行う、これらの制御は、例えば記憶部５０５に格納されたプログラム従って行われる。
【０２８９】
ドライブ５０２は、情報記録媒体（メディア）５５０からのデータ読み出しを実効する。
ユーザ入力部５０３は、ユーザの操作可能なスイッチ、ボタン、タッチパネル等の入力部であり、再生、コピー、記録等の様々な処理の指示入力などを行う入力部である。
【０２９０】
利用制御情報確認部５０４は、情報記録媒体（メディア）５５０から読み出したデータに含まれるコピー制御情報等の利用制御情報を読み出して、許容される利用態様を確認する。
前述したように、情報記録媒体（メディア）５５０には、放送局等の送信装置から受信した利用制御情報の変換処理（マッピング）によって生成したＡＡＣＳ規定対応の利用制御情報が記録されている。これらは、少なくとも以下のいずれかに記録されている。
（１）ＡＡＣＳ管理データとして設定される利用制御情報ファイル（Ｕｓａｇｅ  Ｆｉｌｅ）
（２）ＢＤＡＶ、ＳＰＡＶフォーマットにおいて規定されるクリップＡＶストリームファイルを構成するＴＳパケットに格納するＰＭＴ（プログラムマップテーブル）
（＝埋め込み型コピー制御情報（Ｅｍｂｅｄｄｅｄ  ＣＣＩ））
（３）プレイリストファイル
（４）クリップ情報ファイル
【０２９１】
利用制御情報確認部５０４は、上記（１）〜（４）のいずれかのデータを取得して、情報記録媒体（メディア）５５０に記録されたデータの許容される利用態様を確認する。
この結果に従い、制御部５０１は、許容された利用態様で、情報記録媒体（メディア）５５０から読み出したデータの再生処理、あるいはコピー処理を行う。
【０２９２】
情報記録媒体（メディア）５５０から読み出したデータの再生処理を行う場合は、再生データ生成部５０６が、記憶部５０５に格納された情報記録媒体（メディア）５５０からの読み出しデータを取得して、再生データの生成、例えばデコード処理等を実行して出力装置５０７、例えば表示部やスピーカを介して再生データを出力する。
なお、このデータ再生処理は、利用制御情報確認部５０４において確認された許容される利用態様に従って実行される。
【０２９３】
また、情報記録媒体（メディア）５５０から読み出したデータのコピー処理を行う場合は、コピーデータ生成部５０６が、記憶部５０５に格納された情報記録媒体（メディア）５５０からの読み出しデータを取得して、コピーデータの生成を実行して記録部５０９を介して第２メディア５７０に対するコピーデータの記録処理を行う。あるいは出力Ｉ／Ｆ５１０を介してメディアに対するコピーデータの記録を実効する外部記録装置５８０に出力する。
なお、このデータコピー処理は、利用制御情報確認部５０４において確認された許容される利用態様に従って実行される。
【０２９４】
次に、図３７に示す情報処理装置５００が実行する処理のシーケンスについて、図３８に示すフローチャートを参照して説明する。
図３８に示すフローに従った処理は、例えば情報処理装置５００の記憶部に格納されたプログラムに従って、プログラム実行機能を有するＣＰＵを備えたデータ処理部（制御部）の制御の下で実行することができる。
以下、図３８のフローに示す各ステップの処理について、順次、説明する。
【０２９５】
（ステップＳ２０１）
まず、情報処理装置５００は、ステップＳ２０１において、例えばユーザの入力したデータ指定情報に従って選択されたストリームファイルと再生制御情報ファイルを取得する。再生制御情報ファイルとは、プレイリストファイル、クリップ情報ファイルである。これらを情報記録媒体５５０から読み出して取得する。
【０２９６】
（ステップＳ２０２）
次に、情報処理装置５００は、ステップＳ２０２において、取得したストリームファイルに対応するＡＡＣＳ規定の利用制御情報を取得する。なお、利用制御情報は、以下のいずれかのデータから取得する。
（１）ＡＡＣＳ管理データとして設定される利用制御情報ファイル（Ｕｓａｇｅ  Ｆｉｌｅ）
（２）ＢＤＡＶ、ＳＰＡＶフォーマットにおいて規定されるクリップＡＶストリームファイルを構成するＴＳパケットに格納するＰＭＴ（プログラムマップテーブル）
（＝埋め込み型コピー制御情報（Ｅｍｂｅｄｄｅｄ  ＣＣＩ））
（３）プレイリストファイル
（４）クリップ情報ファイル
【０２９７】
（ステップＳ２０３）
次に、情報処理装置５００は、ステップＳ２０３において、取得したＡＡＣＳ規定の利用制御情報に従ったコンテンツ利用処理を実行する。
具体的には、取得したＡＡＣＳ規定の利用制御情報に記録された再生制限情報や、コピー制限情報に従った再生処理、コピー処理を実行する。
【０２９８】
次に、ユーザの処理指定がコピー処理である場合に情報処理装置５００が実行する処理シーケンスについて図３９に示すフローチャートを参照して説明する。
【０２９９】
（ステップＳ２５１）
まず、情報処理装置５００は、ステップＳ２５１において、例えばユーザの入力したコピーデータ指定情報に従って選択されたストリームファイルと再生制御情報ファイルを取得する。再生制御情報ファイルとは、プレイリストファイル、クリップ情報ファイルである。これらを情報記録媒体５５０から読み出して取得する。
【０３００】
（ステップＳ２５２）
次に、情報処理装置５００は、ステップＳ２５２において、取得したストリームファイルに対応するＡＡＣＳ規定の利用制御情報を取得する。なお、利用制御情報は、以下のいずれかのデータから取得する。
（１）ＡＡＣＳ管理データとして設定される利用制御情報ファイル（Ｕｓａｇｅ  Ｆｉｌｅ）
（２）ＢＤＡＶ、ＳＰＡＶフォーマットにおいて規定されるクリップＡＶストリームファイルを構成するＴＳパケットに格納するＰＭＴ（プログラムマップテーブル）
（＝埋め込み型コピー制御情報（Ｅｍｂｅｄｄｅｄ  ＣＣＩ））
（３）プレイリストファイル
（４）クリップ情報ファイル
【０３０１】
（ステップＳ２５３）
次に、情報処理装置５００は、ステップＳ２５３において、ステップＳ２５２で取得した利用制御情報から、コピー制御情報を取得する。
【０３０２】
（ステップＳ２５４）
次に、情報処理装置５００は、ステップＳ２５４において、ステップＳ２５３で取得したコピー制御情報がコピーを許容することを示す値であるか否かを判定する。
コピー制御情報がコピーを許容することを示す値である場合は、ステップＳ２５５に進む。
一方、コピー制御情報がコピーを許容することを示す値でない場合は、コピー処理を実行することなく処理を終了する。
【０３０３】
（ステップＳ２５５）
ステップＳ２５５は、ステップＳ２５４において、コピー制御情報がコピーを許容することを示す値であると確認された場合に実行する処理である。この場合、情報処理装置５００は、ステップＳ２５５において、利用制御情報の記録情報に従ってコピー処理を実行し、必要に応じて利用制御情報に記録されたコピー制御情報を更新する。
【０３０４】
このように、情報処理装置５００は、情報記録媒体に記録されたＡＡＣＳ規定の利用制御情報に従ったコンナテンツ利用処理を実行する。
情報記録媒体に記録されたＡＡＣＳ規定の利用制御情報は、先に図２１〜図２３を参照して説明したマッピングデータに基づくマッピング処理によって、放送配信データに含まれる利用制御情報の各設定値を、ＡＡＣＳ規定の制御情報の設定値に変換されたデータである。
結果として、情報処理装置５００は、放送配信データに含まれる利用制御情報を継承した利用制御下で情報記録媒体に記録されたコンテンツの利用処理を行うことになる。
【０３０５】
［１０．情報処理装置の構成例について］
次に、情報記録媒体に対するデータ記録、情報記録媒体に記録されたデータの再生やコピー処理を実行する情報処理装置として適用可能な情報処理装置のハードウェア構成例について、図４０を参照して説明する。
【０３０６】
ＣＰＵ（Ｃｅｎｔｒａｌ  Ｐｒｏｃｅｓｓｉｎｇ  Ｕｎｉｔ）６０１は、ＲＯＭ（Ｒｅａｄ  Ｏｎｌｙ  Ｍｅｍｏｒｙ）６０２、または記憶部６０８に記憶されているプログラムに従って各種の処理を実行するデータ処理部として機能する。例えば、上述した実施例において説明したシーケンスに従った処理を実行する。ＲＡＭ（Ｒａｎｄｏｍ  Ａｃｃｅｓｓ  Ｍｅｍｏｒｙ）６０３には、ＣＰＵ６０１が実行するプログラムやデータなどが記憶される。これらのＣＰＵ６０１、ＲＯＭ６０２、およびＲＡＭ６０３は、バス６０４により相互に接続されている。
【０３０７】
ＣＰＵ６０１はバス６０４を介して入出力インタフェース６０５に接続され、入出力インタフェース６０５には、各種スイッチ、キーボード、マウス、マイクロホンなどよりなる入力部６０６、ディスプレイ、スピーカなどよりなる出力部６０７が接続されている。ＣＰＵ６０１は、入力部６０６から入力される指令に対応して各種の処理を実行し、処理結果を例えば出力部６０７に出力する。
【０３０８】
入出力インタフェース６０５に接続されている記憶部６０８は、例えばハードディスク等からなり、ＣＰＵ６０１が実行するプログラムや各種のデータを記憶する。通信部６０９は、インターネットやローカルエリアネットワークなどのネットワークを介したデータ通信の送受信部、さらに放送波の送受信部として機能し、外部の装置と通信する。
【０３０９】
入出力インタフェース６０５に接続されているドライブ６１０は、磁気ディスク、光ディスク、光磁気ディスク、あるいはメモリカード等の半導体メモリなどのリムーバブルメディア６１１を駆動し、データの記録あるいは読み取りを実行する。
【０３１０】
［１１．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０３１１】
なお、本明細書において開示した技術は、以下のような構成をとることができる。
（１）  送信装置の送信するコンテンツとコンテンツ対応の利用制御情報を入力し、情報記録媒体に記録するデータ処理部を有し、
前記データ処理部は、
前記送信装置から受信する第１規格に従った利用制御情報の設定値を、前記第１規格と異なる第２規格の利用制御情報に変換して情報記録媒体に記録する処理を実行する構成であり、
前記第１規格に従った利用制御情報の設定値と、前記第２規格に従った利用制御情報の設定値を対応付けたマッピングデータを利用したマッピング処理により、異なる規格の利用制御情報の設定値を変換する情報処理装置。
【０３１２】
（２）  前記第１規格に従った利用制御情報はＣＩ＋（ＣＩ  Ｐｌｕｓ）規定の利用制御情報であり、
前記第２規格に従った利用制御情報はＡＡＣＳ規定の利用制御情報である（１）に記載の情報処理装置。
【０３１３】
（３）前記第２規格に従った利用制御情報はＡＡＣＳ１、またはＡＡＣＳ２規定の利用制御情報である（２）に記載の情報処理装置。
【０３１４】
（４）  前記利用制御情報はコピー制御情報を含む利用制御情報である（１）〜（３）いずれかに記載の情報処理装置。
【０３１５】
（５）  前記データ処理部は、
前記マッピング処理によって生成した前記第２規格の利用制御情報であるＡＡＣＳ規定の利用制御情報を、ＡＡＣＳ管理データである利用制御情報ファイルに格納して情報記録媒体に記録する（１）〜（４）いずれかに記載の情報処理装置。
【０３１６】
（６）  前記データ処理部は、
前記マッピング処理によって生成した前記第２規格の利用制御情報をＭＰＥＧ−２ＴＳフォーマットにおいて規定されるＰＭＴ（プログラムマップテーブル）に格納して情報記録媒体に記録する（１）〜（５）いずれかに記載の情報処理装置。
【０３１７】
（７）  前記データ処理部は、
前記第２規格の利用制御情報を、前記ＰＭＴ（プログラムマップテーブル）のコピー状態記述子に格納して情報記録媒体に記録する（６）に記載の情報処理装置。
【０３１８】
（８）  前記データ処理部は、
前記第２規格の利用制御情報を、再生制御情報ファイルであるプレイリストファイル、またはクリップ情報ファイルの少なくともいずれかに格納して情報記録媒体に記録する（１）〜（７）いずれかに記載の情報処理装置。
【０３１９】
（９）  前記データ処理部は、
前記送信装置の送信するコンテンツを、ＢＤＡＶフォーマット、またはＳＰＡＶフォーマットに従って情報記録媒体に記録する（１）〜（８）いずれかに記載の情報処理装置。
【０３２０】
（１０）  前記データ処理部は、
前記第１規格の利用制御情報に含まれる特殊再生を許容するか否かを示すトリックモード制御情報を情報記録媒体記録コンテンツ対応の制御情報として、情報記録媒体に記録する（１）〜（９）いずれかに記載の情報処理装置。
【０３２１】
（１１）  前記データ処理部は、
前記トリックモード制御情報を、再生制御情報ファイルであるプレイリストファイル、またはクリップ情報ファイルの少なくともいずれかに格納して情報記録媒体に記録する（１０）に記載の情報処理装置。
【０３２２】
（１２）  情報記録媒体に記録された放送コンテンツの再生処理またはコピー処理を実行するデータ処理部を有し、
前記データ処理部は、
前記情報記録媒体の記録データに含まれる利用制御情報を取得して、該利用制御情報に記録された許容範囲内のコンテンツ再生またはコピー処理を実行する構成であり、
前記利用制御情報は、
前記放送コンテンツに併せて放送局から配信された第１規格に従った利用制御情報を、前記第１規格と異なる第２規格の利用制御情報に変換した情報であり、
前記データ処理部は、
放送局から配信された前記第１規格に従った利用制御情報を継承した前記第２規格の利用制御情報に従って、コンテンツ再生またはコピー処理を実行する情報処理装置。
【０３２３】
（１３）  前記第１規格に従った利用制御情報はＣＩ＋（ＣＩ  Ｐｌｕｓ）の利用制御情報であり、
前記第２規格に従った利用制御情報はＡＡＣＳ１、またはＡＡＣＳ２の利用制御情報である（１２）に記載の情報処理装置。
【０３２４】
（１４）  放送コンテンツと、
前記放送コンテンツ対応の利用制御情報を記録データとして格納し、
前記利用制御情報は、
前記放送コンテンツに併せて放送局から配信された第１規格に従った利用制御情報を、前記第１規格と異なる第２規格の利用制御情報に変換した情報であり、
前記情報記録媒体の記録コンテンツの再生を実行する再生装置に、
前記第２規格の利用制御情報に従ったコンテンツ利用制御を実行させることで、放送局から配信された前記第１規格に従った利用制御情報を継承したコンテンツ利用制御を実行させることを可能とした情報記録媒体。
【０３２５】
（１５）  前記第１規格に従った利用制御情報はＣＩ＋（ＣＩ  Ｐｌｕｓ）の利用制御情報であり、
前記第２規格に従った利用制御情報はＡＡＣＳ１、またはＡＡＣＳ２の利用制御情報である（１４）に記載の情報記録媒体。
【０３２６】
（１６）  情報処理装置において実行する情報処理方法であり、
前記情報処理装置は、
送信装置の送信するコンテンツとコンテンツ対応の利用制御情報を入力し、情報記録媒体に記録するデータ処理部を有し、
前記データ処理部が、
前記送信装置から受信する第１規格に従った利用制御情報の設定値を、前記第１規格と異なる第２規格の利用制御情報に変換して情報記録媒体に記録する処理を実行し、
前記第１規格に従った利用制御情報の設定値と、前記第２規格に従った利用制御情報の設定値を対応付けたマッピングデータを利用したマッピング処理により、異なる規格の利用制御情報の設定値を変換する情報処理方法。
【０３２７】
（１７）  情報処理装置において情報処理を実行させるプログラムであり、
前記情報処理装置は、
送信装置の送信するコンテンツとコンテンツ対応の利用制御情報を入力し、情報記録媒体に記録するデータ処理部を有し、
前記プログラムは、前記データ処理部に、
前記送信装置から受信する第１規格に従った利用制御情報の設定値を、前記第１規格と異なる第２規格の利用制御情報に変換して情報記録媒体に記録する処理と、
前記第１規格に従った利用制御情報の設定値と、前記第２規格に従った利用制御情報の設定値を対応付けたマッピングデータを利用したマッピング処理により、異なる規格の利用制御情報の設定値を変換する処理を実行させるプログラム。
【０３２８】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０３２９】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０３３０】
以上、説明したように、本開示の一実施例の構成によれば、情報記録媒体の記録コンテンツの利用時に、放送局の配信した利用制御情報を継承した利用制御情報に従った処理を行わせることを可能とした構成が実現される。
具体的には、例えば、放送局から受信するＣＩ＋（ＣＩ  Ｐｌｕｓ）等の第１規格に従った利用制御情報の設定値をマッピング処理により第１規格と異なる第２規格、例えばＡＡＣＳ規定の利用制御情報に変換して情報記録媒体に記録する。記録コンテンツの再生やコピーを行う装置は、情報記録媒体に記録されたＣＩ＋（ＣＩ  Ｐｌｕｓ）規定の利用制御情報を継承したＡＡＣＳ規定の利用制御情報に従ってコンテンツ利用を行うことになる。
本構成により、情報記録媒体の記録コンテンツの利用時に、放送局の配信した利用制御情報を継承した利用制御情報に従った処理を行わせることを可能とした構成が実現される。
【符号の説明】
【０３３１】
２０  送信装置
２１  放送局
２２  データ配信サーバ
３０  情報処理装置
３１  記録再生装置
３２  ＴＶ
３３  ＰＣ
３４  携帯端末
４０  情報記録媒体（メディア）
４１  ＢＤ
４２  ＨＤＤ
４３  フラッシュメモリ
６１  記録再生装置
６２  メディアＡ
６３  メディアＢ１
６４  メディアＢ２
１２１  利用制御情報ファイル
１２２  埋め込み型コピー制御情報
４００  情報処理装置
４０１  データ入力部
４０２  ユーザ入力部
４０３  制御部
４０４  記憶部
４０５  デマルチプレクサ
４０６  記録データ生成部
４０７  記録部
４０８  ドライブ
４１１  字幕データ生成部
４１２  画像データ生成部
４１３  音声データ生成部
４１４  補助情報生成部
４１５  マルチプレクサ
４１６  利用制御情報ファイル生成部
４１７  データベースファイル生成部
４２０  情報記録媒体
４５１  データ解析部
４５３  ストリームファイル記録用制御情報生成部
４５４  利用制御情報ファイル記録データ生成部
４５５  データベースファイル記録データ生成部
５００  情報処理装置
５０１  制御部
５０２  ドライブ
５０３  ユーザ入力部
５０４  利用制御情報確認部
５０５  記憶部
５０６  再生データ生成部
５０７  出力装置
５０８  コピーデータ生成部
５０９  記録部
５１０  出力Ｉ／Ｆ
５５０  情報記録媒体（メディア）
５７０  第２メディア
５８０  外部記録装置
６０１  ＣＰＵ
６０２  ＲＯＭ
６０３  ＲＡＭ
６０４  バス
６０５  入出力インタフェース
６０６  入力部
６０７  出力部
６０８  記憶部
６０９  通信部
６１０  ドライブ
６１１  リムーバブルメディア
【図１】
2020014118.tif 000003
【図２】
2020014118.tif 000004
【図３】
2020014118.tif 000005
【図４】
2020014118.tif 000006
【図５】
2020014118.tif 000007
【図６】
2020014118.tif 000008
【図７】
2020014118.tif 000009
【図８】
2020014118.tif 000010
【図９】
2020014118.tif 000011
【図１０】
2020014118.tif 000012
【図１１】
2020014118.tif 000013
【図１２】
2020014118.tif 000014
【図１３】
2020014118.tif 000015
【図１４】
2020014118.tif 000016
【図１５】
2020014118.tif 000017
【図１６】
2020014118.tif 000018
【図１７】
2020014118.tif 000019
【図１８】
2020014118.tif 000020
【図１９】
2020014118.tif 000021
【図２０】
2020014118.tif 000022
【図２１】
2020014118.tif 000023
【図２２】
2020014118.tif 000024
【図２３】
2020014118.tif 000025
【図２４】
2020014118.tif 000026
【図２５】
2020014118.tif 000027
【図２６】
2020014118.tif 000028
【図２７】
2020014118.tif 000029
【図２８】
2020014118.tif 000030
【図２９】
2020014118.tif 000031
【図３０】
2020014118.tif 000032
【図３１】
2020014118.tif 000033
【図３２】
2020014118.tif 000034
【図３３】
2020014118.tif 000035
【図３４】
2020014118.tif 000036
【図３５】
2020014118.tif 000037
【図３６】
2020014118.tif 000038
【図３７】
2020014118.tif 000039
【図３８】
2020014118.tif 000040
【図３９】
2020014118.tif 000041
【図４０】
2020014118.tif 000042